(57)【要約】  本発明は、受信状態が悪化した場合に、ユーザの違和感を軽減することが可能な音声信号を生成する音声信号処理装置を提供することを目的とする。  デジタル伝送路を介して伝送される信号を受信する受信部Ｒｘから出力される音声信号Ｓauを音声信号処理する音声処理部２と、受信部Ｒｘの複数の内部状態Ｄdetに基づいて受信状態を判断し、該判断結果に基づいて音声処理部２に行わせる信号処理の内容を制御する制御部３とを備えることにより、受信状態が悪化した場合に、音声信号Ｓauからユーザの違和感を軽減することが可能な音声信号Ｓcmpを生成する。【特許請求の範囲】
【請求項１】
デジタル伝送路を介して伝送される信号を受信する受信手段から出力される音声信号を処理する音声信号処理装置であって、
前記音声音信号を信号処理する音声処理手段と、
前記受信手段の内部状態を示す情報を複数用いて受信状態を判断し、該判断結果に基づいて前記音声処理手段に行わせる前記信号処理の内容を制御する制御手段と、を備えることを特徴とする音声信号処理装置。
【請求項２】
前記音声処理手段は、前記制御手段の指示に従って、前記音声信号に対する前記信号処理をチャンネル毎に個別に行うことを特徴とする請求項１に記載の音声信号処理装置。
【請求項３】
前記制御手段は、前記受信手段のビット誤差率及びＡＧＣ電圧を用いて受信状態を判断することを特徴とする請求項１又は２に記載の音声信号処理装置。
【請求項４】
前記制御手段は、前記ビット誤差率から受信状態が良好でないと判別した場合に、前記ＡＧＣ電圧の値から受信電界が弱電界か否かを判別して受信状態を判断することを特徴とする請求項３に記載の音声信号処理装置。
【請求項５】
前記制御手段は、前記ＡＧＣ電圧の値から受信電界が弱電界でないと判別したときに、前記ＡＧＣ電圧の変化量から受信状態を判断することを特徴とする請求項４に記載の音声信号処理装置。
【請求項６】
前記制御手段は、前記ＡＧＣ電圧の変化量が所定値より小さいと、受信電界が安定している状態と判断し、当該判断結果に応じて前記信号処理の内容を制御することを特徴とする請求項５に記載の音声信号処理装置。
【請求項７】
前記制御手段は、前記ＡＧＣ電圧の変化量が所定値より大きいと、マルチパスの影響を受けている状態と判断し、当該判断結果に応じて前記信号処理の内容を制御することを特徴とする請求項５又は６に記載の音声信号処理装置。
【請求項８】
前記制御手段は、前記ＡＧＣ電圧の値から受信電界が弱電界であると判別したときに、前記受信手段のＣ／Ｎ値の変化量から受信状態を判断することを特徴とする請求項４乃至７のいずれか１項に記載の音声信号処理装置。
【請求項９】
前記制御手段は、前記Ｃ／Ｎ値の変化量が所定値より小さいと、受信電界が弱電界である状態と判断し、当該判断結果に応じて前記信号処理の内容を制御することを特徴とする請求項８に記載の音声信号処理装置。
【請求項１０】
前記制御手段は、前記Ｃ／Ｎ値の変化量が所定値より大きいと、マルチパスの影響を受けている状態と判断し、当該判断結果に応じて前記信号処理の内容を制御することを特徴とする請求項８又は９に記載の音声信号処理装置。
【請求項１１】
前記制御手段は、前記受信状態及び前記受信手段から出力される音声信号量の変化に関する情報に応じて前記信号処理の内容を制御することを特徴とする請求項１、２、４、５、６、８、９のいずれか１項に記載の音声信号処理装置。
【請求項１２】
前記音声信号の変化に関する情報は、前記音声信号量が閾値より低い状態の期間である悪化期間及び当該悪化期間の間隔である悪化間隔であることを特徴とする請求項１１に記載の音声信号処理装置。
【請求項１３】
デジタル伝送路を介して伝送される信号を受信する受信手段から出力される音声信号を処理する音声信号処理方法であって、
前記受信手段の内部状態を示す情報を複数用いて受信状態を判断する受信状態判断工程と、
前記受信状態判断工程による判断結果に基づいて前記音声信号の処理内容を設定する処理内容設定工程と、
前記処理内容設定工程によって設定された前記処理内容に基づいて前記音声信号を処理する信号処理工程と、
を有することを特徴とする音声信号処理方法。
【請求項１４】
デジタル伝送路を介して伝送される信号を受信する受信手段から出力される音声信号を処理するコンピュータに実行させるコンピュータプログラムであって、
前記受信手段の内部状態を示す情報を複数用いて受信状態を判断させる受信状態判断ステップと、
前記受信状態判断ステップによる判断結果に基づいて前記音声信号の処理内容を設定させる処理内容設定ステップと、
前記処理内容設定ステップによって設定された前記処理内容に基づいて前記音声信号を処理させる信号処理ステップと、
を有することを特徴とするコンピュータプログラム。
【請求項１５】
請求項１４に記載のコンピュータプログラムが記録されていることを特徴とする記録媒体。
【発明の詳細な説明】
【技術分野】
【０００１】
本発明は、例えばデジタル伝送システムを介して受信した音声信号を信号処理する音声信号処理装置等に関する。
【背景技術】
【０００２】
近年、デジタルテレビ放送やデジタルラジオ放送、インターネット等のデジタル伝送システムを介して、多様な情報を多重化して伝送することが行われている。【０００３】
これらのデジタル伝送システムでは、音声や映像、各種データ等を圧縮符号化して、誤り訂正符号化及びインターリーブ等の処理を施し、ＯＦＤＭ変調等によって変調して多重伝送することにより、受信装置側で高品質の音声や映像、各種データ等に復調等することを可能にしている。【０００４】
こうしたデジタル伝送システムの利点を利用して、高品質の音楽等を配信し、受信装置で受信及び復調等してオーディオシステムによって再生させることにより、高品質の音楽等をユーザに提供することが行われている。【０００５】
ところが、受信装置の受信状態がデジタル伝送路の環境変化に依存し、例えば移動体無線伝送路にあっては、フェージング等の影響によって劣化する場合があることから、受信装置側でデジタル伝送路の環境変化の影響を効果的に取り除くことが重要である。【０００６】
そこで、特開２００２−３０００６１号公報に開示された放送受信装置では、到来する放送波の受信状態を、復調処理の際に得られるビット誤差率（ＢＥＲ）に基づいて検出し、フェージング等によって受信状態が良好な状態から悪化したときに、受信した音声信号の出力レベルをミュートレベルまで低下させ、再び受信状態が良好な状態に回復したときに、出力レベルを徐々に元に戻すことで、フェージング等によって音声信号に混入することとなったノイズを低減して、ユーザに与える違和感を軽減することとしている。【０００７】
【特許文献１】特開２００２−３０００６１号公報
【発明の開示】
【発明が解決しようとする課題】
【０００８】
ところで、上記従来の放送受信装置は、受信状態の良否をビット誤差率のみに基づいて検出し、その検出結果に基づいてミュート制御するだけで音声信号中のノイズ成分を低減することとしている。【０００９】
このため、受信状態を精密に検出しているとは言えず、更に音声信号中に混入することとなったノイズ成分をミュート制御によって取り除くだけでは、受信状態に応じた高品質の音声再生を行うことが困難となるという問題があった。【００１０】
本発明は、このような従来の課題に鑑みてなされたものであり、デジタル伝送システムを介して受信した音声信号に基づいて、より高品質の音声再生を行うことを可能にする音声信号処理装置を提供することを目的とする。
【課題を解決するための手段】
【００１１】
請求項１に記載の発明は、デジタル伝送路を介して伝送される信号を受信する受信手段から出力される音声信号を処理する音声信号処理装置であって、前記音声音信号を信号処理する音声処理手段と、前記受信手段の内部状態を示す情報を複数用いて受信状態を判断し、該判断結果に基づいて前記音声処理手段に行わせる前記信号処理の内容を制御する制御手段と、を備えることを特徴とする。【００１２】
請求項１３に記載の発明は、デジタル伝送路を介して伝送される信号を受信する受信手段から出力される音声信号を処理する音声信号処理方法であって、前記受信手段の内部状態を示す情報を複数用いて受信状態を判断する受信状態判断工程と、前記受信状態判断工程による判断結果に基づいて前記音声信号の処理内容を設定する処理内容設定工程と、前記処理内容設定工程によって設定された前記処理内容に基づいて前記音声信号を処理する信号処理工程と、を有することを特徴とする。【００１３】
請求項１４に記載の発明は、デジタル伝送路を介して伝送される信号を受信する受信手段から出力される音声信号を処理するコンピュータに実行させるコンピュータプログラムであって、前記受信手段の内部状態を示す情報を複数用いて受信状態を判断させる受信状態判断ステップと、前記受信状態判断ステップによる判断結果に基づいて前記音声信号の処理内容を設定させる処理内容設定ステップと、前記処理内容設定ステップによって設定された前記処理内容に基づいて前記音声信号を処理させる信号処理ステップと、を有することを特徴とする。【００１４】
請求項１５に記載の記録媒体は、請求項１４に記載のコンピュータプログラムが記録されていることを特徴とする。
【図面の簡単な説明】
【００１５】
【図１】本発明の実施の形態に係る音声信号処理装置の構成及び機能を表した図である。
【図２】実施例に係る音声信号処理装置の構成を表したブロック図である。
【図３】デコーダ部に設けられている音声信号量検出部６ｃの構成と機能を表した図である。
【図４】図２に示した音声信号処理装置に設けられている音声処理部の構成を表したブロック図である。
【図５】図２に示した音声信号処理装置に設けられている制御部の構成を表したブロック図である。
【図６】図５に示した受信状態悪化期間検出部と受信状態悪化間隔検出部の機能を説明するための図である。
【図７】図５に示したテーブルに記憶されている制御データを模式的に示した図である。
【図８】図２に示した音声信号処理装置の動作を説明するためのフローチャートである。
【図９】更に、図２に示した音声信号処理装置の動作を説明するためのフローチャートである。
【発明を実施するための最良の形態】
【００１６】
本発明の実施の形態に係る音声信号処理装置を図１を参照して説明する。【００１７】
図１（ａ）は、この音声信号処理装置の構成を表したブロック図、図１（ｂ）は、この音声信号処理装置の機能を表した機能ブロック図である。【００１８】
図１（ａ）において、この音声信号処理装置１は、音声処理部２と制御部３を備えて構成されており、音声処理部２が、制御部３からの制御に従って、デジタルラジオ放送やデジタルテレビ放送、インターネット等のデジタル伝送路を介して伝送されてきた多重化された信号を受信する受信部Ｒxから出力される音声信号Ｓauを処理するようになっている。【００１９】
受信部Ｒxは、上述のデジタルラジオ放送等を受信すると、その多重化された受信信号Ｓrxを高周波増幅して周波数変換し、更に周波数変換した信号を復調して、情報分離及び復号等のデコード処理を行うことで、放送局等の側で変調及び多重化等が行われる前の元の音声信号Ｓau等に戻して信号処理部２側へ出力する。更に、受信部Ｒxは、生成した音声信号Ｓauを一時的にバッファメモリ等（図示略）にバッファリングしてから出力することにより、受信部Ｒxと信号処理部２との動作タイミングを調整するようになっている。【００２０】
制御部３は、受信部Ｒxの内部状態を検出し、その検出結果に基づいて受信状態を判断し、更に判断結果に基づいて音声処理部２の処理内容を決定すると共に、決定した処理内容に従って音声処理部２を制御する。【００２１】
より詳細に述べれば、制御部３は、図１（ｂ）に示すように、受信状態判断部３ａと処理内容決定部３ｂを備えている。【００２２】
そして、受信状態判断部３ａは、受信部ＲxがＡＧＣ制御を行う際に発生するＡＧＣ電圧、ビット誤り率（ＢＥＲ）、Ｃ／Ｎ値、ＣＲＣ（Cyclic Redundancy Check）によるＣＲＣ判定結果、リードソロモン誤り判定処理によるＲＳ判定結果等、それら複数のパラメータを受信部Ｒxの内部状態を示す内部状態信号Ｄdetとして入力し、それら複数のパラメータに基づいて、受信電界強度の低下やマルチパスフェージング等の無い安定した受信状態、マルチパスフェージング等の影響を受けた受信状態、受信電界強度が低下した弱電界受信状態等の各受信状態を判断する。【００２３】
処理内容決定部３ｂは、受信部Ｒxが上述のバッファメモリ等にバッファリングする音声信号Ｓauのうち、所定期間の間にバッファリングされる受信状態の良好なときの音声信号の量の変化を内部状態信号Ｄdetに含めて入力する。そして、該受信状態が良好なときの音声信号の量（以下「音声信号量」という）に基づいて、所定期間における受信状態の変化を分析し、該分析結果と、受信状態判断部３ａが判断した受信状態に応じて、音声処理部２に処理させるべき内容を決定し、その決定した処理内容に従って処理内容決定部３ｂを動作させるべく制御信号Ｓcntを出力する。【００２４】
音声処理部２は、制御部３から供給される制御信号Ｓcntの指示に従って、音声信号Ｓauに対する処理を行い、スピーカ（図示略）にて音声再生させる際に、受信状態に応じて高品質の音を再生させるための音声信号Ｓcmpを生成して出力する。【００２５】
より詳細に述べれば、音声処理部２は、図１（ｂ）に示した処理内容決定部３ｂから出力される制御信号Ｓcntに従って、音声信号Ｓauに対する各種の処理を行う機能を有しており、所定期間の音声信号Ｓauを繰り返すことで音声信号Ｓau中に欠落している信号成分を補間するデータホールド制御機能、音声信号Ｓau中に欠落している信号成分を補間する補間データ挿入制御機能、スピーカにて音声再生させた場合に耳障りでない音を再生させるためのダミーデータ成分を音声信号Ｓauに挿入するダミーデータ挿入制御機能、可変フィルタによって周波数特性を調節するための周波数特性制御機能、アッテネータによって減衰量を調節するためのＡＴＴ量制御機能、音声信号Ｓauの出力を遮断するミュートオン制御機能、音声信号Ｓauが高品質であった場合に処理を行わない無操作制御機能等を有している。そして、制御部３からの制御信号Ｓcntの指示に従って各制御機能を発揮し、音声信号Ｓauを処理することにより、受信状態に応じて、高品質の音を再生させるための音声信号Ｓcmpを生成して出力する。【００２６】
かかる構成を有する本実施形態の音声信号処理装置１によれば、受信部Ｒｘにおける複数の内部状態に基づいて受信状態を検出することにより、受信状態を精度良く判断することができ、更に、判断した受信状態に応じて、受信部Ｒｘから出力される音声信号Ｓauに対して、スピーカ等で高品質の音を再生させ得る処理を施すことにより、受信状態が悪化した場合でも、ユーザに違和感を与えることなく、スピーカ等で音を再生させることができる。【００２７】
なお、図１（ｂ）に示した受信状態判断部３ａと処理内容決定部３ｂをルックアップテーブル形式の記憶部によって形成してもよいし、制御部３をマイクロプロセッサ（ＭＰＵ）等の演算及び判断機能を有する回路で形成し、該マイクロプロセッサが受信状態の判断と処理内容の決定を行うようにしてもよい。
【実施例】
【００２８】
次に、音声信号処理装置のより具体的な実施例を図２〜図９を参照して説明する。図２は、本実施例の音声信号処理装置の構成を表したブロック図であり、図１（ａ）と同一又は相当する部分を同一符号で示している。【００２９】
同図において、この音声信号処理装置１は、音声処理部２と制御部３を有して構成されており、音声処理部２が、制御部３からの制御に従って、デジタルラジオ放送やデジタルテレビ放送、インターネット等を介して伝送されてきた多重化された信号を受信する受信部Ｒxから出力される音声信号Ｓauを信号処理し、マルチチャンネルスピーカシステムを構成する各スピーカ１３を駆動するための音声信号Ｓcmpを生成して出力する。【００３０】
受信部Ｒｘは、受信アンテナＡＮＴが接続されたフロントエンド部４、復調部５、デコード部６、局発部７、ＡＧＣ部８等を有して構成されている。【００３１】
そして、フロントエンド部４が、受信アンテナＡＮＴに生じる受信信号Ｓrxを高周波増幅し、局発部７から供給される局発信号を混合することにより中間周波数の変調信号を生成し、更に該変調信号を増幅してＡ／Ｄ変換することによって、デジタルデータ列から成る変調信号Ｓａを出力する。【００３２】
ＡＧＣ部８は、フロントエンド部４が上述の中間周波数の変調信号を増幅する際の増幅率を自動調整する。すなわち、ＡＧＣ部８は、復調部５が検出する後述のビット誤り率（ＢＥＲ）に基づいてＡＧＣ電圧を調整し、該ＡＧＣ電圧をフロントエンド部４に供給することによって、増幅率を自動調整する。更に、ＡＧＣ部８は、該ＡＧＣ電圧を示す内部状態信号Ｄdet1を制御部３へ供給する。【００３３】
復調部５は、変調信号Ｓａに誤り訂正処理を施して復調処理を行うことにより、復調信号Ｓｂを生成して出力する。【００３４】
更に復調部５は、誤り訂正処理の際に検出するビット誤り率（ＢＥＲ）、Ｃ／Ｎ値、ＣＲＣ判定結果、リードソロモン誤り判定処理によるＲＳ判定結果、音声信号量等の各パラメータを示す内部状態信号Ｄdet2を制御部３へ供給する。【００３５】
デコード部６は、復調信号Ｓｂに圧縮符号化されて多重化されている音声信号や映像信号、各種データ等の情報を各情報毎に分離し、更に分離した音声信号や映像信号、各種データ等に伸張処理等を施すことによって、放送局等の側で変調及び多重化等が行われる前の元の音声信号Ｓauや映像信号Ｓvd、各種データ等に戻して出力する。【００３６】
そして、デコード部６から出力される映像信号Ｓvdに基づいて、映像処理部９がコンポジット信号等を生成し、更に映像再生部１０がコンポジット信号等に基づいて表示部４を駆動制御することにより、放送局等から送られてきた映像を表示させる。【００３７】
また、デコード部６から出力される音声信号Ｓauについて音声処理部２が後述の信号処理を施すことによって、受信状態に応じて補正した音声信号Ｓcmpを生成し、更に音声再生部１２が音声信号ＳcmpをＤ／Ａ変換及び電力増幅してスピーカ１３に供給することにより、放送局等から送られてきた音楽等の音を再生させる。【００３８】
更に、デコード部６には、映像信号Ｓvdと音声信号Ｓauをバッファリングしてからタイミング調整を図って映像処理部９と信号処理部２側へ出力するバッファメモリとしての映像メモリ６ａと音声メモリ６ｂが設けられる他、音声メモリ６ｂにバッファリングされた音声信号Ｓauのうち、受信状態の良好なときの音声信号量の変化を検出し、該検出した音声信号量を内部状態信号Ｄdet3として出力する音声信号量検出部６ｃが設けられている。【００３９】
図３（ａ）は、音声信号量検出部６ｃの構成を表したブロック図、同図（ｂ）は、音声信号量検出部６ｃの機能を説明するための図である。【００４０】
図３（ａ）において、音声信号量検出部６ｃは、判定部６caとカウンタ６cbとシフトレジスタ６ccを有して構成されている。【００４１】
ここで、所定の記憶容量を有する音声メモリ６ｂは、デコード部６が音声信号Ｓauを生成する毎に、いわゆるＦＩＦＯ処理を行いながら音声信号Ｓau(1)，Ｓau(2)〜Ｓau(N)として順次にバッファリングしていく。【００４２】
判定部６caは、デコード部６が音声信号Ｓauを生成する毎に、いわゆるＦＩＦＯ処理を行いながら音声メモリ６ｂ中の各音声信号Ｓau(1)，Ｓau(2)〜Ｓau(N)のビット誤差率ＢＥＲ(1)，ＢＥＲ(2)〜ＢＥＲ(N)を順次にバッファリングし、各ビット誤差率ＢＥＲ(1)，ＢＥＲ(2)〜ＢＥＲ(N)を所定の判定基準値と比較することにより、各音声信号Ｓau(1)，Ｓau(2)〜Ｓau(N)が生成されたときの受信状態の良否を判定し、各判定結果ＪＵＧ(1)，ＪＵＧ(2)〜ＪＵＧ(N)を出力する。【００４３】
すなわち、判定部６caは、各ビット誤差率ＢＥＲ(1)，ＢＥＲ(2)〜ＢＥＲ(N)について、ビット誤差率が所定の判定基準値と比較して良好な場合には、受信状態が良好であると判断して、論理“Ｈ”となる判定結果を出力し、ビット誤差率が所定の判定基準値と比較して悪化している場合には、受信状態が良好でないと判断して、論理“Ｌ”となる判定結果を出力する。【００４４】
カウンタ６cbは、デコード部６が音声信号Ｓauを生成する毎に、判定部６caから出力される判定結果ＪＵＧ(1)，ＪＵＧ(2)〜ＪＵＧ(N)のうち、論理“Ｈ”となる判定結果を計数することにより、音声信号Ｓau(1)，Ｓau(2)〜Ｓau(N)のうち受信状態が良好な音声信号の数（すなわち、音声信号量）を示す計数値σiを出力する。【００４５】
シフトレジスタ６ccは、デコード部６が音声信号Ｓauを生成する毎に、カウンタ６cbから出力される計数値σiを入力し、過去から現在までの所定数ｍの計数値σ1〜σmを保持しつつ更新していき、ｍ個の計数値σ1〜σmを内部状態信号Ｄdet3として出力する。【００４６】
したがって、シフトレジスタ６ccは、図３（ｂ）に例示するように、デコード部６が音声信号Ｓauを生成する毎に、過去から現在までの所定数ｍ（別言すれば所定期間Ｔ）の計数値σ1〜σmを、受信状態の良好な音声信号量の変化の履歴を示す内部状態信号Ｄdet3として出力する。【００４７】
次に、音声処理部２は、図４のブロック図に示すように、従属接続されたデータホールド部２ａ、補間データ挿入部２ｂ、ダミーデータ挿入部２ｃ、周波数特性調整部２ｄ、ＡＴＴ量調整部２ｅ、ミュート部２ｆを備えて構成されており、各部２ａ〜２ｆが制御部３から供給される制御信号Ｓcntの指示に従って音声信号Ｓauを信号処理することで、補正した音声信号Ｓcmpを生成して出力する。また、各部２ａ〜２ｆは、制御信号Ｓcntの指示に従って夫々個別に動作することにより、音声信号Ｓcmpに対して選択的に信号処理を行うようになっている。また、図示するように、センタースピーカＳＰｃ、左右チャンネルのメインスピーカＳＰm(L)，ＳＰm(R)、左右チャンネルのサラウンドスピーカＳＰs(L)，ＳＰs(R)、サブウーファスピーカＳＰ(W)等を有するマルチチャンネルスピーカシステムに対応した複数チャンネルの音声信号Ｓauが供給されると、制御信号Ｓcntの指示に従って各チャンネル毎に信号処理を行うことが可能となっている。【００４８】
ここで、データホールド部２ａは、制御信号Ｓcntの指示に従って、所定期間の音声信号Ｓauを繰り返すことで音声信号Ｓau中に欠落している信号成分を補間する。【００４９】
補間データ挿入部２ｂは、制御信号Ｓcntの指示に従って、音声信号Ｓau中に欠落している信号成分を補間する補間処理を行う。【００５０】
ダミーデータ挿入部２ｃは、制御信号Ｓcntの指示に従って、スピーカにて音声再生させた場合に耳障りでない音を再生させるためのダミーデータ成分を音声信号Ｓauに挿入する。【００５１】
周波数特性調整部２ｄは、可変フィルタを有しており、制御信号Ｓcntの指示に従って、通過周波数帯域と利得及び位相特性を変化させることにより、音声信号Ｓauの周波数特性を調節する。【００５２】
ＡＴＴ量調整部２ｅは、制御信号Ｓcntの指示に従って、減衰量を調節することにより、音声信号Ｓauのレベルを可変調節する。【００５３】
ミュート部２ｆは、制御信号Ｓcntの指示に従って、音声信号Ｓauの出力を遮断（ミュートオン）することで、音声再生部１２への音声信号Ｓcmpの供給を停止する。【００５４】
次に、制御部３は、マイクロプロセッサ（ＭＰＵ）等を有した演算及び制御機能を有する回路で形成されており、ユーザが所望の放送局を指定したり、マルチチャンネルスピーカシステムによって音声再生を行うための指示等を行うための操作部１４が接続されている。【００５５】
更に、制御部３は、図１（ｂ）に示した受信状態判断部３ａ及び処理内容決定部３ｂと同様の構成を有しており、より詳細には、図５のブロック図に示す構成を有している。【００５６】
すなわち、制御部３は、ＡＧＣ部８と復調部５から供給される内部状態信号Ｄdet1，Ｄdet2の情報、すなわちＡＧＣ電圧、ビット誤り率（ＢＥＲ）等に基づいて受信状態を判断する受信状態判断部３ａと、処理内容決定部３ｂとを有し、処理内容決定部３ｂは、ルックアップテーブル形式の記憶部（以下「テーブル」という）３baと、受信状態悪化間隔検出部３bb、受信状態悪化期間検出部３bc、受信状態悪化頻度分析部３bd、制御期間検出部３be、出力部３bfを有して構成されている。【００５７】
受信状態悪化期間検出部３bcは、内部状態信号Ｄdet3として供給される所定期間Ｔにおける計数値σ1〜σmを、所定の基準値ＴＨＤwと比較することにより、受信状態が悪化した期間（以下「受信状態悪化期間」という）Ｔwを検出する。【００５８】
ここで、所定期間Ｔにおける計数値σ1〜σmの分布を示す図６（ａ）（ｂ）を参照して、受信状態悪化期間Ｔwの検出原理を説明すると、夫々の計数値σ1〜σmは、音声メモリ６ｂにバッファリングされる受信状態が良好なときの音声信号量を示すパラメータであることから、夫々の計数値が大きい場合ほど受信状態が良好、夫々の計数値が小さい場合ほど受信状態が悪化していることことになる。【００５９】
そこで、受信状態悪化期間検出部３bcは、計数値σ1〜σmの分布と基準値ＴＨＤwとを比較し、該分布の基準値ＴＨＤwより小さくなる期間を、受信状態悪化期間Ｔwとして検出する。【００６０】
そして、マルチパスフェージング等に起因して受信状態が悪化した場合、図６（ａ）に例示すように、計数値σ1〜σmによる分布が時間的に狭い期間で増減変化することから、基準値ＴＨＤwと比較することにより、時間幅の狭い受信状態悪化期間Ｔwを検出する。【００６１】
また、電界強度が弱い受信状態のときには、図６（ｂ）に例示すように、計数値σ1〜σmによる分布が長時間に亘って減少することから、基準値ＴＨＤwと比較することにより、時間幅の長い受信状態悪化期間Ｔwを検出する。【００６２】
このように、受信状態悪化期間検出部３bcは、計数値σ1〜σmによる分布と基準値ＴＨＤwとを比較することにより、受信状態が悪化した期間とその発生原因等を受信状態悪化期間Ｔwとして検出することが可能となっている。【００６３】
次に、受信状態悪化間隔検出部３bbは、所定期間Ｔにおける計数値σ1〜σmの分布と、基準値ＴＨＤwとを比較し、図６（ａ）に例示するように、計数値σ1〜σmの分布が基準値ＴＨＤwより大きくなるときの期間であって、受信状態悪化期間Ｔwの間に挟まれることとなる期間を受信状態悪化間隔Ｔpとして検出する。【００６４】
次に、受信状態悪化頻度分析部３bdは、受信状態悪化間隔検出部３bbと受信状態悪化期間検出部３bcから出力される受信状態悪化間隔Ｔpと受信状態悪化期間Ｔwの夫々の時間幅や発生頻度等を分析することにより、上述したマルチパスフェージングの発生状況や電界強度が弱い受信状態のときの特徴を検出し、該検出結果をテーブル３baに供給する。【００６５】
テーブル３baには、図７（ａ）〜（ｃ）中の制御（１）〜（７）の各欄に模式的に示すように、音声処理部２に信号処理を行わせるための各制御データが、図７（ｄ）に示す各制御内容の組み合わせとして予め記憶されており、受信状態悪化頻度分析部３bdから供給される検出結果と、受信状態判断部３ａから供給される受信状態の各情報に関連付けて予め記憶されている。なお、説明の便宜上、図７（ａ）〜（ｃ）中の制御（１）〜（７）の各欄には、全ての制御データが示されていないが、実際には、図７（ｄ）に示す各制御内容を組み合わせた制御データが制御（１）〜（７）の各欄に対応して予め記憶されている。【００６６】
そして、受信状態悪化頻度分析部３bdから供給される検出結果と、受信状態判断部３ａから供給される受信状態の各情報が供給されると、各情報に対応する制御データを選択して出力部３bfへ出力する。【００６７】
すなわち、テーブル３baに、受信状態判断部３ａから受信電界強度の低下やマルチパスフェージング等の無い安定した受信状態を示す情報と、受信状態悪化頻度分析部３bdから検出結果を示す情報が供給されると、図７（ａ）（ｄ）に示す電界安定シーケンスに関連する制御データを出力する。【００６８】
また、受信状態判断部３ａからマルチパスフェージング等の影響を受けた受信状態を示す情報と、受信状態悪化頻度分析部３bdから検出結果を示す情報が供給されると、図７（ｂ）（ｄ）に示すマルチパスシーケンスに関連する制御データを出力する。【００６９】
また、受信状態判断部３ａから受信電界強度が低下した受信状態を示す情報と、受信状態悪化頻度分析部３bdから検出結果を示す情報が供給されると、図７（ｃ）（ｄ）に示す弱電界シーケンスに関連する制御データを出力する。【００７０】
制御期間検出部３beは、図３（ａ）に示したシフトレジスタ６ccに供給される最新の計数値（すなわち、最新の音声信号量）σmと基準値ＴＨＤwとを比較し、計数値σmが基準値ＴＨＤwより小さくなる期間を制御期間Ｔcntとして出力部３bfへ供給する。このように、最新の計数値σmと基準値ＴＨＤwとを比較すると、上述したマルチパスフェージングが発生している期間や、電界強度が弱い受信状態となっている期間を制御期間Ｔcntとしてリアルタイムで検出することが可能となっている。【００７１】
出力部３dfは、制御期間Ｔcntによって指定される期間において、テーブル３baから出力される各制御データを制御信号Ｓcntとして音声処理部２へ転送し、デコーダ部６内の音声メモリ６ｂから出力される音声信号Ｓauに対して、制御信号Ｓcntに従った信号処理を行わせる。【００７２】
次に、かかる構成を有する音声信号処理装置１の動作例を図８及び図９に示すフローチャートを参照して説明する。なお、図８及び図９は、音声信号処理部２と制御部３の動作を示している。【００７３】
まず、音声信号処理装置１の動作を理解し易くするために、図８及び図９のフローチャートの構成を説明する。【００７４】
図８はいわゆるメインルーチン、図９はいわゆるサブルーチンの関係となっており、音声信号処理装置１が動作を開始すると、受信部Ｒｘが放送等を受信すると共に、復調及びデコード処理を行い、更に、音声信号処理部２と制御部３が、図８のフローチャートに従って動作する。【００７５】
そして、図８中のステップＳＴＡ８に示す「電界安定シーケンス」と、ステップＳＴＡ９に示す「マルチパスシーケンス」と、ステップＳＴＡ１３に示す「弱電界シーケンス」を実行する際、夫々図９に示すフローチャートに従って動作し、該動作が終了すると、図８中のステップＳＴＡ３の処理に戻って動作を繰り返す。【００７６】
更に、図９に示すフローチャートに従って動作する際、図８中のステップＳＴＡ８に示す「電界安定シーケンス」に関する処理を行う場合には、図７（ａ）（ｄ）に示した制御データの内容に従って音声処理部２が処理を行い、図８中のステップＳＴＡ９に示す「マルチパスシーケンス」に関する処理を行う場合には、図７（ｂ）（ｄ）に示した制御データの内容に従って音声処理部２が処理を行い、図８中のステップＳＴＡ１３に示す「弱電界シーケンス」に関する処理を行う場合には、図７（ｃ）（ｄ）に示した制御データの内容に従って音声処理部２が処理を行うようになっている。【００７７】
さて、音声信号処理装置１の動作を図８及び図９のフローチャートを参照して説明する。【００７８】
音声信号処理装置１が動作を開始すると、制御部３が、図８中のステップＳＴＡ１において、内部状態信号Ｄdet2に基づいてビット誤差率（ＢＥＲ）を確認し、更にステップＳＴＡ２において、ビット誤差率に基づいて現在の受信状態が良好か否かを判断する。そして、良好と判断すると、ステップＳＴＡ３へ移行し、ユーザが電源をオフにした場合のように、音声信号処理装置１に対する設定を終了した場合には動作を終了し、設定を終了していなければ、ステップＳＴＡ１からの処理を繰り返す。なお、現在の受信状態が良好か否かの判断は、例えば、現在のビット誤差率の値と規定値との比較結果から判断することができる。【００７９】
一方、ステップＳＴＡ２において、制御部３が、受信状態が良好でないと判断すると、ステップＳＴＡ４へ移行し、内部状態信号Ｄdet1に基づいてＡＧＣ電圧Ｖagcを読込み、更にステップＳＴＡ５において、ＡＧＣ電圧Ｖagcに基づいて現在の受信状態が弱電界の状態か否かを判断する。そして、弱電界の状態でないと判断すると、ステップＳＴ６へ移行し、弱電界の状態であると判断すると、ステップＳＴＡ１０へ移行する。なお、現在の受信状態が弱電界の状態か否かの判断は、例えば、現在のＡＧＣ電圧Ｖagcの値と規定値との比較結果から判断することができる。【００８０】
ステップＳＴＡ６では、制御部３が、ＡＧＣ電圧Ｖagcの所定時間当たりの変化量ΔＶagcを確認し、更にステップＳＴＡ７に移行して、その変化量ΔＶagcが規定値Ｋagcより大きいか判断する。そして、ステップＳＴＡ７において、変化量ΔＶagcが規定値Ｋagcより小さいと判断すると、受信電界が安定した状態にあると判断してステップＳＴＡ８に移行し、「電界安定シーケンス」に関する図９の処理を開始する。【００８１】
一方、ステップＳＴＡ７において、変化量ΔＶagcが規定値Ｋagcより大きいと判断すると、マルチパスフェージング等の影響を受けた受信状態にあるを判断してステップＳＴＡ９に移行し、「マルチパスシーケンス」に関する図９の処理を開始する。【００８２】
制御部３が、上述のステップＳＴＡ１０の処理に移行すると、内部状態信号Ｓdet2に基づいてＣ／Ｎ値Ｍcnを読込み、更にステップＳＴＡ１１において、Ｃ／Ｎ値Ｍcnの所定時間当たりの変化量ΔＭcnを確認してステップＳＴＡ１２へ移行する。そして、ステップＳＴＡ１２において、変化量ΔＭcnが規定値Ｋcnより大きいか判断し、変化量ΔＭcnの方が規定値Ｋcnより大きいときには、マルチパスフェージング等の影響を受けた受信状態にあると判断してステップＳＴＡ９に移行し、「マルチパスシーケンス」に関する図９の処理を開始する。【００８３】
一方、ステップＳＴＡ１２において、変化量ΔＭcnの方が規定値Ｋcnより小さいときには、受信状態が弱電界の状態にあると判断してステップＳＴＡ１３に移行し、「弱電界シーケンス」に関する図９の処理を開始する。【００８４】
このように、音声信号処理装置１は、図８に示す処理を行うことにより、受信部Ｒｘの内部状態に基づいて受信状態を判断し、音声信号Ｓａに対して信号処理を行う必要が無いときには、制御部３が音声処理部２に対して現状の状態をそのまま維持させるための無制御を行ってステップＳＴＡ１〜ＳＴＡ３の処理を繰り返し、一方、ステップＳＴＡ２において、制御部３が受信状態が良好でないと判断すると、その受信状態を判別することで、受信状態に応じたステップＳＴＡ８，ステップＳＴＡ９，ステップＳＴＡ１３の何れかの処理を開始する。【００８５】
次に、図８中のステップＳＴＡ８の「電界安定シーケンス」の動作を、図９を参照して説明する。【００８６】
「電界安定シーケンス」の動作を開始すると、最初に、図９中のステップＳＴＢ１において、制御部３が、ユーザから指定されている音声再生モードを確認する。そして、ステップＳＴＢ２において、マルチチャンネルスピーカシステムの各スピーカに供給する音声信号をチャンネル毎に独立して制御するための音声再生モード（例えば、５．１チャンネルサラウンドモード）が指定されていると、ステップＳＴＢ３の「独立制御モード」の動作を開始し、一方、全てのチャンネルの音声信号に対して同じ制御をするための音声再生モードが指定されていると、ステップＳＴＢ１４の「同時制御モード」の動作を開始する。【００８７】
ステップＳＴＢ３の「独立制御モード」の動作を開始すると、音声処理部２が、制御部３からの指示に従って、音声信号Ｓauを各チャンネル毎に独立して処理するように切り替わる。【００８８】
次に、ステップＳＴＢ４において、制御部３中の受信状態悪化期間検出部３bcが受信状態悪化期間Ｔwを確認し、次に、ステップＳＴＢ５において、受信状態悪化頻度分析部３bdが、受信状態悪化期間Ｔwの１期間あたりの時間平均値Ａ（Ｔw）と所定の規定値ＴＨＤtwとを比較することによって、受信状態悪化期間Ｔwの時間幅を分析する。【００８９】
すなわち、図６（ａ）に例示したように、受信状態悪化期間Ｔwが４つ発生した場合には、これら受信状態悪化期間Ｔwの合計を４で除算することで時間平均値Ａ（Ｔw）を演算して規定値ＴＨＤtwとを比較する。【００９０】
そして、時間平均値Ａ（Ｔw）が規定値ＴＨＤtwより小さい場合には、受信状態が悪化している期間が短いと判断して、ステップＳＴＢ６へ移行し、時間平均値Ａ（Ｔw）が規定値ＴＨＤtwより大きい場合には、受信状態が悪化している期間が長いと判断して、ステップＳＴＢ１０へ移行する。【００９１】
ステップＳＴＢ６では、受信状態悪化間隔検出部３bbが受信状態悪化間隔Ｔpを確認し、次に、ステップＳＴＢ７において、受信状態悪化頻度分析部３bdが、受信状態悪化間隔Ｔpの１間隔あたりの時間平均値Ａ（Ｔp）と所定の規定値ＴＨＤtpとを比較することによって、受信状態悪化間隔Ｔpの時間幅を分析する。【００９２】
すなわち、図６（ａ）に例示したように、受信状態悪化間隔Ｔpが３つ発生した場合には、これら受信状態悪化間隔Ｔpの合計を３で除算することで時間平均値Ａ（Ｔp）を演算して規定値ＴＨＤtpとを比較する。【００９３】
そして、時間平均値Ａ（Ｔp）が規定値ＴＨＤtpより小さい場合にはステップＳＴＢ８、時間平均値Ａ（Ｔp）が規定値ＴＨＤtpより大きい場合にはステップＳＴＢ９へ移行する。【００９４】
このように、制御部３は、ステップＳＴＢ４〜ＳＴＢ７の判断処理を行うことにより、受信状態悪化期間Ｔwと受信状態悪化間隔Ｔpの相互間の特徴を分析し、夫々分析した特徴に応じて、ステップＳＴＢ８又はＳＴＢ９の処理を行うようになっている。【００９５】
上述のステップＳＴＢ５からステップＳＴＢ１０に移行すると、受信状態悪化間隔検出部３bbが受信状態悪化間隔Ｔpを確認し、次に、ステップＳＴＢ１１において、受信状態悪化頻度分析部３bdが、受信状態悪化間隔Ｔpの１間隔あたりの時間平均値Ａ（Ｔp）と所定の規定値ＴＨＤtpとを比較することによって、受信状態悪化間隔Ｔpの時間幅を分析する。そして、時間平均値Ａ（Ｔp）が規定値ＴＨＤtpより小さい場合にはステップＳＴＢ１２、時間平均値Ａ（Ｔp）が規定値ＴＨＤtpより大きい場合にはステップＳＴＢ１３へ移行する。【００９６】
このように、制御部３は、ステップＳＴＢ４，ＳＴＢ５，ＳＴＢ１０，ＳＴＢ１１の処理を行うことにより、受信状態悪化期間Ｔwと受信状態悪化間隔Ｔpの相互間の特徴を分析し、夫々分析した特徴に応じて、ステップＳＴＢ１２又はＳＴＢ１３の処理を行うようになっている。【００９７】
次に、制御部３は、ステップＳＴＢ８に移行した場合、制御期間Ｔcntの間、図７（ａ）（ｄ）に示した「電界安定シーケンス」の「独立制御モード」における制御（１）の制御データに従った処理を音声処理部２に行わせる。【００９８】
また、ステップＳＴＢ９に移行した場合には、制御期間Ｔcntの間、図７（ａ）（ｄ）に示した「電界安定シーケンス」の「独立制御モード」における制御（２）の制御データに従った処理を音声処理部２に行わせる。【００９９】
また、ステップＳＴＢ１２に移行した場合には、制御期間Ｔcntの間、図７（ａ）（ｄ）に示した「電界安定シーケンス」の「独立制御モード」における制御（３）の制御データに従った処理を音声処理部２に行わせる。【０１００】
また、ステップＳＴＢ１３に移行した場合には、制御期間Ｔcntの間、図７（ａ）（ｄ）に示した「電界安定シーケンス」の「共通」における制御（４）の制御データに従った処理を音声処理部２に行わせる。【０１０１】
そして、ステップＳＴＢ８，ＳＴＢ９，ＳＴＢ１２，ＳＴＢ１３の何れかの処理を行って終了すると、図８に示したステップＳＴＡ３へ移行する。【０１０２】
次に、ステップＳＴＢ１４の「同時制御モード」の動作を開始した場合について説明する。【０１０３】
「同時制御モード」の動作を開始すると、音声処理部２が、制御部３からの指示に従って、音声信号Ｓauを各チャンネル毎に独立して処理するように切り替わる。【０１０４】
そして、制御部３が、ステップＳＴＢ１５〜ＳＴＢ１８，ＳＴＢ２１，ＳＴＢ２２において、上述したステップＳＴＢ４〜ＳＴＢ７，ＳＴＢ１０，ＳＴＢ１１と同様に、受信状態悪化期間Ｔwと受信状態悪化間隔Ｔpに基づく判断処理を行い、ステップＳＴＢ１９，ＳＴＢ２０，ＳＴＢ２３，ＳＴＢ２４の何れかのステップへ移行する。【０１０５】
そして、制御部３は、ステップＳＴＢ１９に移行すると、制御期間Ｔcntの間、 図７（ａ）（ｄ）に示した「電界安定シーケンス」の「同時制御モード」における制御（５）の制御データに従った処理を音声処理部２に行わせる。【０１０６】
また、ステップＳＴＢ２０に移行すると、制御期間Ｔcntの間、図７（ａ）（ｄ）に示した「電界安定シーケンス」の「同時制御モード」における制御（６）の制御データに従った処理を音声処理部２に行わせる。【０１０７】
また、ステップＳＴＢ２３に移行すると、制御期間Ｔcntの間、図７（ａ）（ｄ）に示した「電界安定シーケンス」の「同時制御モード」における制御（７）の制御データに従った処理を音声処理部２に行わせる。【０１０８】
また、ステップＳＴＢ２４に移行すると、制御期間Ｔcntの間、図７（ａ）（ｄ）に示した「電界安定シーケンス」の「共通」における制御（４）の制御データに従った処理を音声処理部２に行わせる。【０１０９】
そして、ステップＳＴＢ１９，ＳＴＢ２０，ＳＴＢ２３，ＳＴＢ２４の何れかの処理を行って終了すると、図８に示したステップＳＴＡ３へ移行する。【０１１０】
次に、図８に示したステップＳＴＡ９の「マルチパスシーケンス」の動作について説明する。【０１１１】
「マルチパスシーケンス」の動作を開始すると、制御部３は、図９中のステップＳＴＢ１から処理を行うこととなり、上述の「電界安定シーケンス」の場合と同様に、受信状態悪化期間Ｔwと受信状態悪化間隔Ｔpに基づく判断処理を行って、ステップＳＴＢ８，ＳＴＢ９，ＳＴＢ１２，ＳＴＢ１３，ＳＴＢ１９，ＳＴＢ２０，ＳＴＢ２３，ＳＴＢ２４の何れかの処理を行うこととなる。【０１１２】
そして、制御部３は、ステップＳＴＢ８に移行した場合、図７（ｂ）（ｄ）に示した「マルチシーケンス」の「独立制御モード」における制御（１）、ステップＳＴＢ９に移行した場合には、図７（ｂ）（ｄ）に示した「マルチパスシーケンス」の「独立制御モード」における制御（２）、ステップＳＴＢ１２に移行した場合には、図７（ｂ）（ｄ）に示した「マルチパスシーケンス」の「独立制御モード」における制御（３）、ステップＳＴＢ１３に移行した場合には、図７（ｂ）（ｄ）に示した「マルチパスシーケンス」の「共通」における制御（４）の夫々の制御データに従って、制御期間Ｔcntの間、音声処理部２に処理を行わせる。【０１１３】
また、ステップＳＴＢ１９に移行した場合、図７（ｂ）（ｄ）に示した「マルチシーケンス」の「同時制御モード」における制御（５）、ステップＳＴＢ２０に移行した場合には、図７（ｂ）（ｄ）に示した「マルチパスシーケンス」の「同時制御モード」における制御（６）、ステップＳＴＢ２３に移行した場合には、図７（ｂ）（ｄ）に示した「マルチパスシーケンス」の「同時制御モード」における制御（７）、ステップＳＴＢ２４に移行した場合には、図７（ｂ）（ｄ）に示した「マルチパスシーケンス」の「共通」における制御（４）の夫々の制御データ従って、制御期間Ｔcntの間、音声処理部２に処理を行わせる。【０１１４】
そして、ステップＳＴＢ１９，ＳＴＢ２０，ＳＴＢ２３，ＳＴＢ２４の何れかの処理を行って終了すると、図８に示したステップＳＴＡ３へ移行する。【０１１５】
次に、図８に示したステップＳＴＡ１３の「弱電界シーケンス」の動作について説明する。【０１１６】
「弱電界シーケンス」の動作を開始すると、制御部３は、図９中のステップＳＴＢ１から処理を行うこととなり、上述の「電界安定シーケンス」や「マルチパスシーケンス」の場合と同様に、受信状態悪化期間Ｔwと受信状態悪化間隔Ｔpに基づく判断処理を行って、ステップＳＴＢ８，ＳＴＢ９，ＳＴＢ１２，ＳＴＢ１３，ＳＴＢ１９，ＳＴＢ２０，ＳＴＢ２３，ＳＴＢ２４の何れかの処理を行うこととなる。【０１１７】
そして、制御部３は、ステップＳＴＢ８に移行した場合、図７（ｃ）（ｄ）に示した「弱電界シーケンス」の「独立制御モード」における制御（１）、ステップＳＴＢ９に移行した場合には、図７（ｃ）（ｄ）に示した「弱電界シーケンス」の「独立制御モード」における制御（２）、ステップＳＴＢ１２に移行した場合には、図７（ｃ）（ｄ）に示した「弱電界シーケンス」の「独立制御モード」における制御（３）、ステップＳＴＢ１３に移行した場合には、図７（ｃ）（ｄ）に示した「弱電界シーケンス」の「共通」における制御（４）の夫々の制御データに従って、制御期間Ｔcntの間、音声処理部２に処理を行わせる。【０１１８】
また、ステップＳＴＢ１９に移行した場合、図７（ｃ）（ｄ）に示した「弱電界シーケンス」の「同時制御モード」における制御（５）、ステップＳＴＢ２０に移行した場合には、図７（ｃ）（ｄ）に示した「弱電界シーケンス」の「同時制御モード」における制御（６）、ステップＳＴＢ２３に移行した場合には、図７（ｃ）（ｄ）に示した「弱電界シーケンス」の「同時制御モード」における制御（７）、ステップＳＴＢ２４に移行した場合には、図７（ｂ）（ｄ）に示した「弱電界シーケンス」の「共通」における制御（４）の夫々の制御データ従って、制御期間Ｔcntの間、音声処理部２に処理を行わせる。【０１１９】
そして、ステップＳＴＢ８，ＳＴＢ９，ＳＴＢ１２，ＳＴＢ１３，ＳＴＢ１９，ＳＴＢ２０，ＳＴＢ２３，ＳＴＢ２４の何れかの処理を行って終了すると、図８に示したステップＳＴＡ３へ移行する。【０１２０】
以上説明したように、本実施例の音声信号処理装置１によれば、受信部Ｒｘにおける複数の内部状態に基づいて受信状態を検出することにより、受信状態を精度良く判断することができ、更に、判断した受信状態に応じて、受信部Ｒｘから出力される音声信号Ｓauに対して、スピーカ等で高品質の音を再生させ得る処理を施すことにより、受信状態が悪化した場合でも、ユーザに違和感を与えることなく、スピーカ等で音を再生させることができる。【０１２１】
また、制御部３は、高速処理を行うフロントエンド部４に供給されるＡＧＣ電圧に基づいて、受信状態の良否を判断するので、音声処理部２を制御するための処理内容を決定するための処理を迅速に行うことができ、音声信号Ｓauに対して処理が遅延する等の問題の発生を未然に防止することができる。【０１２２】
また、制御部３は、ユーザがマルチチャンネルによる音声再生を指定した場合に、音声処理部２に対して、音声信号Ｓauを各チャンネル毎に細かく処理するように制御することができるため、受信状態に応じて、高品質の音をスピーカによって再生させることができる。【０１２３】
なお、以上に説明した本実施例のデジタル受信装置１において、図２に示した音声処理部２、制御部３、デコード部６をマイクロプロセッサ（ＭＰＵ）やデジタルシグナルプロセッサ（ＤＳＰ）で形成し、コンピュータプログラムを実行させることにより、上述した音声処理部２、制御部３、デコード部６と同様の動作を行わせるようにしてもよい。【０１２４】
また、該コンピュータプログラムをＣＤやＤＶＤ等の記録媒体に記録しておき、上述のマイクロプロセッサ等にインストール等して実行させるようにしてもよい。
【図１】
2005096512.tif 000002
【図２】
2005096512.tif 000003
【図３】
2005096512.tif 000004
【図４】
2005096512.tif 000005
【図５】
2005096512.tif 000006
【図６】
2005096512.tif 000007
【図７】
2005096512.tif 000008
【図８】
2005096512.tif 000009
【図９】
2005096512.tif 000010
【手続補正書】
【提出日】平成18年1月24日(2006.1.24)
【手続補正１】
【補正対象書類名】特許請求の範囲
【補正対象項目名】全文
【補正方法】変更
【補正の内容】
【書類名】請求の範囲
【請求項１】デジタル伝送路を介して伝送される信号を受信する受信手段から出力される音声信号を処理する音声信号処理装置であって、
前記音声信号を信号処理する音声処理手段と、
前記受信手段のビット誤差率及びＡＧＣ電圧を用いて受信状態を判断し、該判断結果に基づいて前記音声信号処理手段に行わせる前記信号処理の内容を制御する制御手段と、
を備え、
前記制御手段は、前記ビット誤差率から受信状態が良好でないと判別した場合に、前記ＡＧＣ電圧の値から受信電界が弱電界か否かを判別して受信状態を判断することを特徴とする音声信号処理装置。
【請求項２】前記音声処理手段は、前記制御手段の指示に従って、前記音声信号に対する前記信号処理をチャンネル毎に個別に行うことを特徴とする請求項１に記載の音声信号処理装置。
【請求項３】（削除）
【請求項４】（削除）
【請求項５】前記制御手段は、前記ＡＧＣ電圧の値から受信電界が弱電界でないと判別したときに、前記ＡＧＣ電圧の変化量から受信状態を判断することを特徴とする請求項１に記載の音声信号処理装置。
【請求項６】前記制御手段は、前記ＡＧＣ電圧の変化量が所定値より小さいと、受信電界が安定している状態と判断し、当該判断結果に応じて前記信号処理の内容を制御することを特徴とする請求項５に記載の音声信号処理装置。
【請求項７】前記制御手段は、前記ＡＧＣ電圧の変化量が所定値より大きいと、マルチパスの影響を受けている状態と判断し、当該判断結果に応じて前記信号処理の内容を制御することを特徴とする請求項５又は６に記載の音声信号処理装置。
【請求項８】前記制御手段は、前記ＡＧＣ電圧の値から受信電界が弱電界であると判別したときに、前記受信手段のＣ／Ｎ値の変化量から受信状態を判断することを特徴とする請求項１、５乃至７のいずれか１項に記載の音声信号処理装置。
【請求項９】前記制御手段は、前記Ｃ／Ｎ値の変化量が所定値より小さいと、受信電界が弱電界である状態と判断し、当該判断結果に応じて前記信号処理の内容を制御することを特徴とする請求項８に記載の音声信号処理装置。
【請求項１０】前記制御手段は、前記Ｃ／Ｎ値の変化量が所定値より大きいと、マルチパスの影響を受けている状態と判断し、当該判断結果に応じて前記信号処理の内容を制御することを特徴とする請求項８又は９に記載の音声信号処理装置。
【請求項１１】デジタル伝送路を介して伝送される信号を受信する受信手段から出力される音声信号を処理する音声信号処理装置であって、
前記音声信号を信号処理する音声処理手段と、
前記受信手段の内部状態を示す情報を複数用いて受信状態を判断し、該判断結果に基づいて前記音声信号処理手段に行わせる前記信号処理の内容を制御する制御手段と、
を備え、
前記制御手段は、前記受信状態及び前記受信手段から出力される音声信号量の変化に関する情報に応じて前記信号処理の内容を制御することを特徴とする音声信号処理装置。
【請求項１２】前記音声信号の変化に関する情報は、前記音声信号量が閾値より低い状態の期間である悪化期間及び当該悪化期間の間隔である悪化間隔であることを特徴とする請求項１１に記載の音声信号処理装置。
【請求項１３】デジタル伝送路を介して伝送される信号を受信する受信手段から出力される音声信号を処理する音声信号処理方法であって、
前記音声信号を信号処理する音声処理工程と、
前記受信手段の内部状態を示す情報を複数用いて受信状態を判断し、該判断結果に基づいて前記音声信号処理工程における前記信号処理の内容を制御する制御工程と、
を備え、
前記制御工程は、前記受信状態及び前記受信手段から出力される音声信号量の変化に関する情報に応じて前記信号処理の内容を制御することを特徴とする音声信号処理方法。
【請求項１４】デジタル伝送路を介して伝送される信号を受信する受信手段から出力される音声信号を処理するコンピュータに実行させるコンピュータプログラムであって、
前記音声信号を信号処理させる音声処理ステップと、
前記受信手段の内部状態を示す情報を複数用いて受信状態を判断させ、該判断結果に基づいて前記音声処理ステップにおける前記信号処理の内容を制御する制御ステップと、
を備え、
前記制御ステップでは、前記受信状態及び前記受信手段から出力される音声信号量の変化に関する情報に応じて前記信号処理の内容を制御することを特徴とするコンピュータプログラム。
【請求項１５】デジタル伝送路を介して伝送される信号を受信する受信手段から出力される音声信号を処理するコンピュータに実行させるコンピュータプログラムが記録された記録媒体であって、
前記音声信号を信号処理させる音声処理ステップと、
前記受信手段の内部状態を示す情報を複数用いて受信状態を判断させ、該判断結果に基づいて前記音声処理ステップにおける前記信号処理の内容を制御すると共に、前記受信状態及び前記受信手段から出力される音声信号量の変化に関する情報に応じて前記信号処理の内容を制御する制御ステップと、
を備えた前記コンピュータプログラムが記録されていることを特徴とする記録媒体。
【手続補正２】
【補正対象書類名】明細書
【補正対象項目名】０００２
【補正方法】変更
【補正の内容】
【０００２】
［発明の開示］
［発明が解決しようとする課題］
［０００８］
ところで、上記従来の放送受信装置は、受信状態の良否をビット誤差率のみに基づいて検出し、その検出結果に基づいてミュート制御するだけで音声信号中のノイズ成分を低減することとしている。
［０００９］
このため、受信状態を精密に検出しているとは言えず、更に音声信号中に混入することとなったノイズ成分をミュート制御によって取り除くだけでは、受信状態に応じた高品質の音声再生を行うことが困難となるという問題があった。
［００１０］
本発明は、このような従来の課題に鑑みてなされたものであり、デジタル伝送システムを介して受信した音声信号に基づいて、より高品質の音声再生を行うことを可能にする音声信号処理装置を提供することを目的とする。
［課題を解決するための手段］
［００１１］
請求項１に記載の発明は、デジタル伝送路を介して伝送される信号を受信する受信手段から出力される音声信号を処理する音声信号処理装置であって、前記音声信号を信号処理する音声処理手段と、前記受信手段のビット誤差率及びＡＧＣ電圧を用いて受信状態を判断し、該判断結果に基づいて前記音声処理手段に行わせる前記信号処理の内容を制御する制御手段と、を備え、前記制御手段は、前記ビット誤差率から受信状態が良好でないと判別した場合に、前記ＡＧＣ電圧の値から受信電界が弱電界か否かを判別して受信状態を判断することを特徴とする。
［００１２］
請求項１３に記載の発明は、デジタル伝送路を介して伝送される信号を受信する受信手段から出力される音声信号を処理する音声信号処理方法であって、前記音声信号を信号処理する音声処理工程と、前記受信手段の内部状態を示す情報を複数用いて受信状態を判断し、該判断結果に基づいて前記音声信号処理工程における前記    信号処理の内容を制御する制御工程と、を備え、前記制御工程は、前記受信状態及び前記受信手段から出力される音声信号量の変化に関する情報に応じて前記信号処理の内容を制御することを特徴とする。
［００１３］
請求項１４に記載の発明は、デジダル伝送路を介して伝送される信号を受信する受信手段から出力される音声信号を処理するコンピュータに実行させるコンピュータプログラムであって、前記音声信号を信号処理させる音声処理ステップと、前記受信手段の内部状態を示す情報を複数用いて受信状態を判断させ、該判断結果に基づいて
【手続補正３】
【補正対象書類名】明細書
【補正対象項目名】０００３
【補正方法】変更
【補正の内容】
【０００３】
前記音声処理ステップにおける前記信号処理の内容を制御する制御ステップと、を備え、前記制御ステップでは、前記受信状態及び前記受信手段から出力される音声信号量の変化に関する情報に応じて前記信号処理の内容を制御することを特徴とする。
［００１４］
請求項１５に記載の発明は、デジタル伝送路を介して伝送される信号を受信する受信手段から出力される音声信号を処理するコンピュータに実行させるコンピュータプログラムが記録された記録媒体であって、前記音声信号を信号処理させる音声処理ステップと、前記受信手段の内部状態を示す情報を複数用いて受信状態を判断させ、該判断結果に基づいて前記音声処理ステップにおける前記信号処理の内容を制御すると共に、前記受信状態及び前記受信手段から出力される音声信号量の変化に関する情報に応じて前記信号処理の内容を制御する制御ステップと、を備えた前記コンピュータプログラムが記録されていることを特徴とする。
［図面の簡単な説明］
［００１５］
［図１］本発明の実施の形態に係る音声信号処理装置の構成及び機能を表した図である。
［図２］実施例に係る音声信号処理装置の構成を表したブロック図である。
［図３］デコーダ部に設けられている音声信号量検出部６ｃの構成と機能を表した図である。
［図４］図２に示した音声信号処理装置に設けられている音声処理部の構成を表したブロック図である。
［図５］図２に示した音声信号処理装置に設けられている制御部の構成を表したブロック図である。
［図６］図５に示した受信状態悪化期間検出部と受信状態悪化間隔検出部の機能を説明するための図である。
［図７］図５に示したテーブルに記憶されている制御データを模式的に示した図である。
［図８］図２に示した音声信号処理装置の動作を説明するためのフローチャートである。
［図９］更に、図２に示した音声信号処理装置の動作を説明するためのフローチャートである。
［発明を実施するための最良の形態］
［００１６］
本発明の実施の形態に係る音声信号処理装置を図１を参照して説明する。
［００１７］
図１（ａ）は、この音声信号処理装置の構成を表したブロック図、図１（ｂ）は、この音声信号処理装置の機能を表した機能ブロック図である。
［００１８］
図１（ａ）において、この音声信号処理装置１は、音声処理部２と制御部３を備えて構
【手続補正書】
【提出日】平成18年8月4日(2006.8.4)
【手続補正１】
【補正対象書類名】特許請求の範囲
【補正対象項目名】全文
【補正方法】変更
【補正の内容】
【特許請求の範囲】
【請求項１】
デジタル伝送路を介して伝送される信号を受信する受信手段から出力される音声信号を処理する音声信号処理装置であって、
前記音声信号を信号処理する音声処理手段と、
前記受信手段のビット誤差率及びＡＧＣ電圧を用いて受信状態を判断し、当該判断結果に基づいて前記音声信号処理手段に行わせる前記信号処理の内容を制御する制御手段と、
を備え、
前記制御手段は、前記ビット誤差率から受信状態が良好でないと判別した場合に、前記ＡＧＣ電圧の値から受信電界が弱電界か否かを判別して受信状態を判断することを特徴とする音声信号処理装置。
【請求項２】
前記音声処理手段は、前記制御手段の指示に従って、前記音声信号に対する前記信号処理をチャンネル毎に個別に行うことを特徴とする請求項１に記載の音声信号処理装置。
【請求項３】
前記制御手段は、前記ＡＧＣ電圧の値から受信電界が弱電界でないと判別したときに、前記ＡＧＣ電圧の変化量から受信状態を判断することを特徴とする請求項１に記載の音声信号処理装置。
【請求項４】
前記制御手段は、前記ＡＧＣ電圧の変化量が所定値より小さいと、受信電界が安定している状態と判断し、当該判断結果に応じて前記信号処理の内容を制御することを特徴とする請求項３に記載の音声信号処理装置。
【請求項５】
前記制御手段は、前記ＡＧＣ電圧の変化量が所定値より大きいと、マルチパスの影響を受けている状態と判断し、当該判断結果に応じて前記信号処理の内容を制御することを特徴とする請求項３又は４に記載の音声信号処理装置。
【請求項６】
前記制御手段は、前記ＡＧＣ電圧の値から受信電界が弱電界であると判別したときに、前記受信手段のＣ／Ｎ値の変化量から受信状態を判断することを特徴とする請求項１、３乃至５のいずれか１項に記載の音声信号処理装置。
【請求項７】
前記制御手段は、前記Ｃ／Ｎ値の変化量が所定値より小さいと、受信電界が弱電界である状態と判断し、当該判断結果に応じて前記信号処理の内容を制御することを特徴とする請求項６に記載の音声信号処理装置。
【請求項８】
前記制御手段は、前記Ｃ／Ｎ値の変化量が所定値より大きいと、マルチパスの影響を受けている状態と判断し、当該判断結果に応じて前記信号処理の内容を制御することを特徴とする請求項６又は７に記載の音声信号処理装置。
【請求項９】
デジタル伝送路を介して伝送される信号を受信する受信手段から出力される音声信号を処理する音声信号処理装置であって、
前記音声信号を信号処理する音声処理手段と、
前記受信手段の内部状態を示す情報を複数用いて受信状態を判断し、当該判断結果に基づいて前記音声信号処理手段に行わせる前記信号処理の内容を制御する制御手段と、
を備え、
前記制御手段は、前記受信状態及び前記受信手段から出力される音声信号量の変化に関する情報に応じて前記信号処理の内容を制御することを特徴とする音声信号処理装置。
【請求項１０】
前記音声信号の変化に関する情報は、前記音声信号量が閾値より低い状態の期間である悪化期間及び当該悪化期間の間隔である悪化間隔であることを特徴とする請求項９に記載の音声信号処理装置。
【請求項１１】
デジタル伝送路を介して伝送される信号を受信する受信手段から出力される音声信号を処理する音声信号処理方法であって、
前記音声信号を信号処理する音声処理工程と、
前記受信手段の内部状態を示す情報を複数用いて受信状態を判断し、当該判断結果に基づいて前記音声信号処理工程における前記信号処理の内容を制御する制御工程と、
を備え、
前記制御工程は、前記受信状態及び前記受信手段から出力される音声信号量の変化に関する情報に応じて前記信号処理の内容を制御することを特徴とする音声信号処理方法。
【請求項１２】
デジタル伝送路を介して伝送される信号を受信する受信手段から出力される音声信号を処理するコンピュータに実行させるコンピュータプログラムであって、
前記音声信号を信号処理させる音声処理ステップと、
前記受信手段の内部状態を示す情報を複数用いて受信状態を判断させ、当該判断結果に基づいて前記音声処理ステップにおける前記信号処理の内容を制御する制御ステップと、
を備え、
前記制御ステップでは、前記受信状態及び前記受信手段から出力される音声信号量の変化に関する情報に応じて前記信号処理の内容を制御することを特徴とするコンピュータプログラム。
【請求項１３】
デジタル伝送路を介して伝送される信号を受信する受信手段から出力される音声信号を処理するコンピュータに実行させるコンピュータプログラムが記録された記録媒体であって、
前記音声信号を信号処理させる音声処理ステップと、
前記受信手段の内部状態を示す情報を複数用いて受信状態を判断させ、当該判断結果に基づいて前記音声処理ステップにおける前記信号処理の内容を制御すると共に、前記受信状態及び前記受信手段から出力される音声信号量の変化に関する情報に応じて前記信号処理の内容を制御する制御ステップと、
を備えた前記コンピュータプログラムが記録されていることを特徴とする記録媒体。
【手続補正２】
【補正対象書類名】明細書
【補正対象項目名】全文
【補正方法】変更
【補正の内容】
【発明の詳細な説明】
【技術分野】
【０００１】
本発明は、例えばデジタル伝送システムを介して受信した音声信号を信号処理する音声信号処理装置等に関する。
【背景技術】
【０００２】
近年、デジタルテレビ放送やデジタルラジオ放送、インターネット等のデジタル伝送システムを介して、多様な情報を多重化して伝送することが行われている。
【０００３】
これらのデジタル伝送システムでは、音声や映像、各種データ等を圧縮符号化して、誤り訂正符号化及びインターリーブ等の処理を施し、ＯＦＤＭ変調等によって変調して多重伝送することにより、受信装置側で高品質の音声や映像、各種データ等に復調等することを可能にしている。
【０００４】
こうしたデジタル伝送システムの利点を利用して、高品質の音楽等を配信し、受信装置で受信及び復調等してオーディオシステムによって再生させることにより、高品質の音楽等をユーザに提供することが行われている。
【０００５】
ところが、受信装置の受信状態がデジタル伝送路の環境変化に依存し、例えば移動体無線伝送路にあっては、フェージング等の影響によって劣化する場合があることから、受信装置側でデジタル伝送路の環境変化の影響を効果的に取り除くことが重要である。
【０００６】
そこで、特開２００２−３０００６１号公報に開示された放送受信装置では、到来する放送波の受信状態を、復調処理の際に得られるビット誤差率（ＢＥＲ）に基づいて検出し、フェージング等によって受信状態が良好な状態から悪化したときに、受信した音声信号の出力レベルをミュートレベルまで低下させ、再び受信状態が良好な状態に回復したときに、出力レベルを徐々に元に戻すことで、フェージング等によって音声信号に混入することとなったノイズを低減して、ユーザに与える違和感を軽減することとしている。
【０００７】
【特許文献１】特開２００２−３０００６１号公報
【発明の開示】
【発明が解決しようとする課題】
【０００８】
ところで、上記従来の放送受信装置は、受信状態の良否をビット誤差率のみに基づいて検出し、その検出結果に基づいてミュート制御するだけで音声信号中のノイズ成分を低減することとしている。
【０００９】
このため、受信状態を精密に検出しているとは言えず、更に音声信号中に混入することとなったノイズ成分をミュート制御によって取り除くだけでは、受信状態に応じた高品質の音声再生を行うことが困難となるという問題があった。
【００１０】
本発明は、このような従来の課題に鑑みてなされたものであり、デジタル伝送システムを介して受信した音声信号に基づいて、より高品質の音声再生を行うことを可能にする音声信号処理装置を提供することを目的とする。
【課題を解決するための手段】
【００１１】
請求項１に記載の発明は、デジタル伝送路を介して伝送される信号を受信する受信手段から出力される音声信号を処理する音声信号処理装置であって、前記音声信号を信号処理する音声処理手段と、前記受信手段のビット誤差率及びＡＧＣ電圧を用いて受信状態を判断し、当該判断結果に基づいて前記音声信号処理手段に行わせる前記信号処理の内容を制御する制御手段と、を備え、前記制御手段は、前記ビット誤差率から受信状態が良好でないと判別した場合に、前記ＡＧＣ電圧の値から受信電界が弱電界か否かを判別して受信状態を判断することを特徴とする。
【００１２】
請求項１１に記載の発明は、デジタル伝送路を介して伝送される信号を受信する受信手段から出力される音声信号を処理する音声信号処理方法であって、前記音声信号を信号処理する音声処理工程と、前記受信手段の内部状態を示す情報を複数用いて受信状態を判断し、当該判断結果に基づいて前記音声信号処理工程における前記信号処理の内容を制御する制御工程と、を備え、前記制御工程は、前記受信状態及び前記受信手段から出力される音声信号量の変化に関する情報に応じて前記信号処理の内容を制御することを特徴とする。
【００１３】
請求項１２に記載の発明は、デジタル伝送路を介して伝送される信号を受信する受信手段から出力される音声信号を処理するコンピュータに実行させるコンピュータプログラムであって、前記音声信号を信号処理させる音声処理ステップと、前記受信手段の内部状態を示す情報を複数用いて受信状態を判断させ、当該判断結果に基づいて前記音声処理ステップにおける前記信号処理の内容を制御する制御ステップと、を備え、前記制御ステップでは、前記受信状態及び前記受信手段から出力される音声信号量の変化に関する情報に応じて前記信号処理の内容を制御することを特徴とする。
【００１４】
請求項１３に記載の発明は、デジタル伝送路を介して伝送される信号を受信する受信手段から出力される音声信号を処理するコンピュータに実行させるコンピュータプログラムが記録された記録媒体であって、前記音声信号を信号処理させる音声処理ステップと、前記受信手段の内部状態を示す情報を複数用いて受信状態を判断させ、当該判断結果に基づいて前記音声処理ステップにおける前記信号処理の内容を制御すると共に、前記受信状態及び前記受信手段から出力される音声信号量の変化に関する情報に応じて前記信号処理の内容を制御する制御ステップと、を備えた前記コンピュータプログラムが記録されていることを特徴とする。
【発明を実施するための最良の形態】
【００１５】
本発明の実施の形態に係る音声信号処理装置を図１を参照して説明する。
【００１６】
図１（ａ）は、この音声信号処理装置の構成を表したブロック図、図１（ｂ）は、この音声信号処理装置の機能を表した機能ブロック図である。
【００１７】
図１（ａ）において、この音声信号処理装置１は、音声処理部２と制御部３を備えて構成されており、音声処理部２が、制御部３からの制御に従って、デジタルラジオ放送やデジタルテレビ放送、インターネット等のデジタル伝送路を介して伝送されてきた多重化された信号を受信する受信部Ｒxから出力される音声信号Ｓauを処理するようになっている。
【００１８】
受信部Ｒxは、上述のデジタルラジオ放送等を受信すると、その多重化された受信信号Ｓrxを高周波増幅して周波数変換し、更に周波数変換した信号を復調して、情報分離及び復号等のデコード処理を行うことで、放送局等の側で変調及び多重化等が行われる前の元の音声信号Ｓau等に戻して信号処理部２側へ出力する。更に、受信部Ｒxは、生成した音声信号Ｓauを一時的にバッファメモリ等（図示略）にバッファリングしてから出力することにより、受信部Ｒxと信号処理部２との動作タイミングを調整するようになっている。
【００１９】
制御部３は、受信部Ｒxの内部状態を検出し、その検出結果に基づいて受信状態を判断し、更に判断結果に基づいて音声処理部２の処理内容を決定すると共に、決定した処理内容に従って音声処理部２を制御する。
【００２０】
より詳細に述べれば、制御部３は、図１（ｂ）に示すように、受信状態判断部３ａと処理内容決定部３ｂを備えている。
【００２１】
そして、受信状態判断部３ａは、受信部ＲxがＡＧＣ制御を行う際に発生するＡＧＣ電圧、ビット誤差率（ＢＥＲ）、Ｃ／Ｎ値、ＣＲＣ（Cyclic Redundancy Check）によるＣＲＣ判定結果、リードソロモン誤り判定処理によるＲＳ判定結果等、それら複数のパラメータを受信部Ｒxの内部状態を示す内部状態信号Ｄdetとして入力し、それら複数のパラメータに基づいて、受信電界強度の低下やマルチパスフェージング等の無い安定した受信状態、マルチパスフェージング等の影響を受けた受信状態、受信電界強度が低下した弱電界受信状態等の各受信状態を判断する。
【００２２】
処理内容決定部３ｂは、受信部Ｒxが上述のバッファメモリ等にバッファリングする音声信号Ｓauのうち、所定期間の間にバッファリングされる受信状態の良好なときの音声信号の量の変化を内部状態信号Ｄdetに含めて入力する。そして、該受信状態が良好なときの音声信号の量（以下「音声信号量」という）に基づいて、所定期間における受信状態の変化を分析し、該分析結果と、受信状態判断部３ａが判断した受信状態に応じて、音声処理部２に処理させるべき内容を決定し、その決定した処理内容に従って処理内容決定部３ｂを動作させるべく制御信号Ｓcntを出力する。
【００２３】
音声処理部２は、制御部３から供給される制御信号Ｓcntの指示に従って、音声信号Ｓauに対する処理を行い、スピーカ（図示略）にて音声再生させる際に、受信状態に応じて高品質の音を再生させるための音声信号Ｓcmpを生成して出力する。
【００２４】
より詳細に述べれば、音声処理部２は、図１（ｂ）に示した処理内容決定部３ｂから出力される制御信号Ｓcntに従って、音声信号Ｓauに対する各種の処理を行う機能を有しており、所定期間の音声信号Ｓauを繰り返すことで音声信号Ｓau中に欠落している信号成分を補間するデータホールド制御機能、音声信号Ｓau中に欠落している信号成分を補間する補間データ挿入制御機能、スピーカにて音声再生させた場合に耳障りでない音を再生させるためのダミーデータ成分を音声信号Ｓauに挿入するダミーデータ挿入制御機能、可変フィルタによって周波数特性を調節するための周波数特性制御機能、アッテネータによって減衰量を調節するためのＡＴＴ量制御機能、音声信号Ｓauの出力を遮断するミュートオン制御機能、音声信号Ｓauが高品質であった場合に処理を行わない無操作制御機能等を有している。そして、制御部３からの制御信号Ｓcntの指示に従って各制御機能を発揮し、音声信号Ｓauを処理することにより、受信状態に応じて、高品質の音を再生させるための音声信号Ｓcmpを生成して出力する。
【００２５】
かかる構成を有する本実施形態の音声信号処理装置１によれば、受信部Ｒｘにおける複数の内部状態に基づいて受信状態を検出することにより、受信状態を精度良く判断することができ、更に、判断した受信状態に応じて、受信部Ｒｘから出力される音声信号Ｓauに対して、スピーカ等で高品質の音を再生させ得る処理を施すことにより、受信状態が悪化した場合でも、ユーザに違和感を与えることなく、スピーカ等で音を再生させることができる。
【００２６】
なお、図１（ｂ）に示した受信状態判断部３ａと処理内容決定部３ｂをルックアップテーブル形式の記憶部によって形成してもよいし、制御部３をマイクロプロセッサ（ＭＰＵ）等の演算及び判断機能を有する回路で形成し、該マイクロプロセッサが受信状態の判断と処理内容の決定を行うようにしてもよい。
【実施例】
【００２７】
次に、音声信号処理装置のより具体的な実施例を図２〜図９を参照して説明する。図２は、本実施例の音声信号処理装置の構成を表したブロック図であり、図１（ａ）と同一又は相当する部分を同一符号で示している。
【００２８】
同図において、この音声信号処理装置１は、音声処理部２と制御部３を有して構成されており、音声処理部２が、制御部３からの制御に従って、デジタルラジオ放送やデジタルテレビ放送、インターネット等を介して伝送されてきた多重化された信号を受信する受信部Ｒxから出力される音声信号Ｓauを信号処理し、マルチチャンネルスピーカシステムを構成する各スピーカ１３を駆動するための音声信号Ｓcmpを生成して出力する。
【００２９】
受信部Ｒｘは、受信アンテナＡＮＴが接続されたフロントエンド部４、復調部５、デコード部６、局発部７、ＡＧＣ部８等を有して構成されている。
【００３０】
そして、フロントエンド部４が、受信アンテナＡＮＴに生じる受信信号Ｓrxを高周波増幅し、局発部７から供給される局発信号を混合することにより中間周波数の変調信号を生成し、更に該変調信号を増幅してＡ／Ｄ変換することによって、デジタルデータ列から成る変調信号Ｓａを出力する。
【００３１】
ＡＧＣ部８は、フロントエンド部４が上述の中間周波数の変調信号を増幅する際の増幅率を自動調整する。すなわち、ＡＧＣ部８は、復調部５が検出する後述のビット誤差率（ＢＥＲ）に基づいてＡＧＣ電圧を調整し、該ＡＧＣ電圧をフロントエンド部４に供給することによって、増幅率を自動調整する。更に、ＡＧＣ部８は、該ＡＧＣ電圧を示す内部状態信号Ｄdet1を制御部３へ供給する。
【００３２】
復調部５は、変調信号Ｓａに誤り訂正処理を施して復調処理を行うことにより、復調信号Ｓｂを生成して出力する。
【００３３】
更に復調部５は、誤り訂正処理の際に検出するビット誤差率（ＢＥＲ）、Ｃ／Ｎ値、ＣＲＣ判定結果、リードソロモン誤り判定処理によるＲＳ判定結果、音声信号量等の各パラメータを示す内部状態信号Ｄdet2を制御部３へ供給する。
【００３４】
デコード部６は、復調信号Ｓｂに圧縮符号化されて多重化されている音声信号や映像信号、各種データ等の情報を各情報毎に分離し、更に分離した音声信号や映像信号、各種データ等に伸張処理等を施すことによって、放送局等の側で変調及び多重化等が行われる前の元の音声信号Ｓauや映像信号Ｓvd、各種データ等に戻して出力する。
【００３５】
そして、デコード部６から出力される映像信号Ｓvdに基づいて、映像処理部９がコンポジット信号等を生成し、更に映像再生部１０がコンポジット信号等に基づいて表示部４を駆動制御することにより、放送局等から送られてきた映像を表示させる。
【００３６】
また、デコード部６から出力される音声信号Ｓauについて音声処理部２が後述の信号処理を施すことによって、受信状態に応じて補正した音声信号Ｓcmpを生成し、更に音声再生部１２が音声信号ＳcmpをＤ／Ａ変換及び電力増幅してスピーカ１３に供給することにより、放送局等から送られてきた音楽等の音を再生させる。
【００３７】
更に、デコード部６には、映像信号Ｓvdと音声信号Ｓauをバッファリングしてからタイミング調整を図って映像処理部９と信号処理部２側へ出力するバッファメモリとしての映像メモリ６ａと音声メモリ６ｂが設けられる他、音声メモリ６ｂにバッファリングされた音声信号Ｓauのうち、受信状態の良好なときの音声信号量の変化を検出し、該検出した音声信号量を内部状態信号Ｄdet3として出力する音声信号量検出部６ｃが設けられている。
【００３８】
図３（ａ）は、音声信号量検出部６ｃの構成を表したブロック図、同図（ｂ）は、音声信号量検出部６ｃの機能を説明するための図である。
【００３９】
図３（ａ）において、音声信号量検出部６ｃは、判定部６caとカウンタ６cbとシフトレジスタ６ccを有して構成されている。
【００４０】
ここで、所定の記憶容量を有する音声メモリ６ｂは、デコード部６が音声信号Ｓauを生成する毎に、いわゆるＦＩＦＯ処理を行いながら音声信号Ｓau(1)，Ｓau(2)〜Ｓau(N)として順次にバッファリングしていく。
【００４１】
判定部６caは、デコード部６が音声信号Ｓauを生成する毎に、いわゆるＦＩＦＯ処理を行いながら音声メモリ６ｂ中の各音声信号Ｓau(1)，Ｓau(2)〜Ｓau(N)のビット誤差率ＢＥＲ(1)，ＢＥＲ(2)〜ＢＥＲ(N)を順次にバッファリングし、各ビット誤差率ＢＥＲ(1)，ＢＥＲ(2)〜ＢＥＲ(N)を所定の判定基準値と比較することにより、各音声信号Ｓau(1)，Ｓau(2)〜Ｓau(N)が生成されたときの受信状態の良否を判定し、各判定結果ＪＵＧ(1)，ＪＵＧ(2)〜ＪＵＧ(N)を出力する。
【００４２】
すなわち、判定部６caは、各ビット誤差率ＢＥＲ(1)，ＢＥＲ(2)〜ＢＥＲ(N)について、ビット誤差率が所定の判定基準値と比較して良好な場合には、受信状態が良好であると判断して、論理“Ｈ”となる判定結果を出力し、ビット誤差率が所定の判定基準値と比較して悪化している場合には、受信状態が良好でないと判断して、論理“Ｌ”となる判定結果を出力する。
【００４３】
カウンタ６cbは、デコード部６が音声信号Ｓauを生成する毎に、判定部６caから出力される判定結果ＪＵＧ(1)，ＪＵＧ(2)〜ＪＵＧ(N)のうち、論理“Ｈ”となる判定結果を計数することにより、音声信号Ｓau(1)，Ｓau(2)〜Ｓau(N)のうち受信状態が良好な音声信号の数（すなわち、音声信号量）を示す計数値σiを出力する。
【００４４】
シフトレジスタ６ccは、デコード部６が音声信号Ｓauを生成する毎に、カウンタ６cbから出力される計数値σiを入力し、過去から現在までの所定数ｍの計数値σ1〜σmを保持しつつ更新していき、ｍ個の計数値σ1〜σmを内部状態信号Ｄdet3として出力する。
【００４５】
したがって、シフトレジスタ６ccは、図３（ｂ）に例示するように、デコード部６が音声信号Ｓauを生成する毎に、過去から現在までの所定数ｍ（別言すれば所定期間Ｔ）の計数値σ1〜σmを、受信状態の良好な音声信号量の変化の履歴を示す内部状態信号Ｄdet3として出力する。
【００４６】
次に、音声処理部２は、図４のブロック図に示すように、従属接続されたデータホールド部２ａ、補間データ挿入部２ｂ、ダミーデータ挿入部２ｃ、周波数特性調整部２ｄ、ＡＴＴ量調整部２ｅ、ミュート部２ｆを備えて構成されており、各部２ａ〜２ｆが制御部３から供給される制御信号Ｓcntの指示に従って音声信号Ｓauを信号処理することで、補正した音声信号Ｓcmpを生成して出力する。また、各部２ａ〜２ｆは、制御信号Ｓcntの指示に従って夫々個別に動作することにより、音声信号Ｓcmpに対して選択的に信号処理を行うようになっている。また、図示するように、センタースピーカＳＰｃ、左右チャンネルのメインスピーカＳＰm(L)，ＳＰm(R)、左右チャンネルのサラウンドスピーカＳＰs(L)，ＳＰs(R)、サブウーファスピーカＳＰ(W)等を有するマルチチャンネルスピーカシステムに対応した複数チャンネルの音声信号Ｓauが供給されると、制御信号Ｓcntの指示に従って各チャンネル毎に信号処理を行うことが可能となっている。
【００４７】
ここで、データホールド部２ａは、制御信号Ｓcntの指示に従って、所定期間の音声信号Ｓauを繰り返すことで音声信号Ｓau中に欠落している信号成分を補間する。
【００４８】
補間データ挿入部２ｂは、制御信号Ｓcntの指示に従って、音声信号Ｓau中に欠落している信号成分を補間する補間処理を行う。
【００４９】
ダミーデータ挿入部２ｃは、制御信号Ｓcntの指示に従って、スピーカにて音声再生させた場合に耳障りでない音を再生させるためのダミーデータ成分を音声信号Ｓauに挿入する。
【００５０】
周波数特性調整部２ｄは、可変フィルタを有しており、制御信号Ｓcntの指示に従って、通過周波数帯域と利得及び位相特性を変化させることにより、音声信号Ｓauの周波数特性を調節する。
【００５１】
ＡＴＴ量調整部２ｅは、制御信号Ｓcntの指示に従って、減衰量を調節することにより、音声信号Ｓauのレベルを可変調節する。
【００５２】
ミュート部２ｆは、制御信号Ｓcntの指示に従って、音声信号Ｓauの出力を遮断（ミュートオン）することで、音声再生部１２への音声信号Ｓcmpの供給を停止する。
【００５３】
次に、制御部３は、マイクロプロセッサ（ＭＰＵ）等を有した演算及び制御機能を有する回路で形成されており、ユーザが所望の放送局を指定したり、マルチチャンネルスピーカシステムによって音声再生を行うための指示等を行うための操作部１４が接続されている。
【００５４】
更に、制御部３は、図１（ｂ）に示した受信状態判断部３ａ及び処理内容決定部３ｂと同様の構成を有しており、より詳細には、図５のブロック図に示す構成を有している。
【００５５】
すなわち、制御部３は、ＡＧＣ部８と復調部５から供給される内部状態信号Ｄdet1，Ｄdet2の情報、すなわちＡＧＣ電圧、ビット誤差率（ＢＥＲ）等に基づいて受信状態を判断する受信状態判断部３ａと、処理内容決定部３ｂとを有し、処理内容決定部３ｂは、ルックアップテーブル形式の記憶部（以下「テーブル」という）３baと、受信状態悪化間隔検出部３bb、受信状態悪化期間検出部３bc、受信状態悪化頻度分析部３bd、制御期間検出部３be、出力部３bfを有して構成されている。
【００５６】
受信状態悪化期間検出部３bcは、内部状態信号Ｄdet3として供給される所定期間Ｔにおける計数値σ1〜σmを、所定の基準値ＴＨＤwと比較することにより、受信状態が悪化した期間（以下「受信状態悪化期間」という）Ｔwを検出する。
【００５７】
ここで、所定期間Ｔにおける計数値σ1〜σmの分布を示す図６（ａ）（ｂ）を参照して、受信状態悪化期間Ｔwの検出原理を説明すると、夫々の計数値σ1〜σmは、音声メモリ６ｂにバッファリングされる受信状態が良好なときの音声信号量を示すパラメータであることから、夫々の計数値が大きい場合ほど受信状態が良好、夫々の計数値が小さい場合ほど受信状態が悪化していることことになる。
【００５８】
そこで、受信状態悪化期間検出部３bcは、計数値σ1〜σmの分布と基準値ＴＨＤwとを比較し、該分布の基準値ＴＨＤwより小さくなる期間を、受信状態悪化期間Ｔwとして検出する。
【００５９】
そして、マルチパスフェージング等に起因して受信状態が悪化した場合、図６（ａ）に例示すように、計数値σ1〜σmによる分布が時間的に狭い期間で増減変化することから、基準値ＴＨＤwと比較することにより、時間幅の狭い受信状態悪化期間Ｔwを検出する。
【００６０】
また、電界強度が弱い受信状態のときには、図６（ｂ）に例示すように、計数値σ1〜σmによる分布が長時間に亘って減少することから、基準値ＴＨＤwと比較することにより、時間幅の長い受信状態悪化期間Ｔwを検出する。
【００６１】
このように、受信状態悪化期間検出部３bcは、計数値σ1〜σmによる分布と基準値ＴＨＤwとを比較することにより、受信状態が悪化した期間とその発生原因等を受信状態悪化期間Ｔwとして検出することが可能となっている。
【００６２】
次に、受信状態悪化間隔検出部３bbは、所定期間Ｔにおける計数値σ1〜σmの分布と、基準値ＴＨＤwとを比較し、図６（ａ）に例示するように、計数値σ1〜σmの分布が基準値ＴＨＤwより大きくなるときの期間であって、受信状態悪化期間Ｔwの間に挟まれることとなる期間を受信状態悪化間隔Ｔpとして検出する。
【００６３】
次に、受信状態悪化頻度分析部３bdは、受信状態悪化間隔検出部３bbと受信状態悪化期間検出部３bcから出力される受信状態悪化間隔Ｔpと受信状態悪化期間Ｔwの夫々の時間幅や発生頻度等を分析することにより、上述したマルチパスフェージングの発生状況や電界強度が弱い受信状態のときの特徴を検出し、該検出結果をテーブル３baに供給する。
【００６４】
テーブル３baには、図７（ａ）〜（ｃ）中の制御（１）〜（７）の各欄に模式的に示すように、音声処理部２に信号処理を行わせるための各制御データが、図７（ｄ）に示す各制御内容の組み合わせとして予め記憶されており、受信状態悪化頻度分析部３bdから供給される検出結果と、受信状態判断部３ａから供給される受信状態の各情報に関連付けて予め記憶されている。なお、説明の便宜上、図７（ａ）〜（ｃ）中の制御（１）〜（７）の各欄には、全ての制御データが示されていないが、実際には、図７（ｄ）に示す各制御内容を組み合わせた制御データが制御（１）〜（７）の各欄に対応して予め記憶されている。
【００６５】
そして、受信状態悪化頻度分析部３bdから供給される検出結果と、受信状態判断部３ａから供給される受信状態の各情報が供給されると、各情報に対応する制御データを選択して出力部３bfへ出力する。
【００６６】
すなわち、テーブル３baに、受信状態判断部３ａから受信電界強度の低下やマルチパスフェージング等の無い安定した受信状態を示す情報と、受信状態悪化頻度分析部３bdから検出結果を示す情報が供給されると、図７（ａ）（ｄ）に示す電界安定シーケンスに関連する制御データを出力する。
【００６７】
また、受信状態判断部３ａからマルチパスフェージング等の影響を受けた受信状態を示す情報と、受信状態悪化頻度分析部３bdから検出結果を示す情報が供給されると、図７（ｂ）（ｄ）に示すマルチパスシーケンスに関連する制御データを出力する。
【００６８】
また、受信状態判断部３ａから受信電界強度が低下した受信状態を示す情報と、受信状態悪化頻度分析部３bdから検出結果を示す情報が供給されると、図７（ｃ）（ｄ）に示す弱電界シーケンスに関連する制御データを出力する。
【００６９】
制御期間検出部３beは、図３（ａ）に示したシフトレジスタ６ccに供給される最新の計数値（すなわち、最新の音声信号量）σmと基準値ＴＨＤwとを比較し、計数値σmが基準値ＴＨＤwより小さくなる期間を制御期間Ｔcntとして出力部３bfへ供給する。このように、最新の計数値σmと基準値ＴＨＤwとを比較すると、上述したマルチパスフェージングが発生している期間や、電界強度が弱い受信状態となっている期間を制御期間Ｔcntとしてリアルタイムで検出することが可能となっている。
【００７０】
出力部３dfは、制御期間Ｔcntによって指定される期間において、テーブル３baから出力される各制御データを制御信号Ｓcntとして音声処理部２へ転送し、デコーダ部６内の音声メモリ６ｂから出力される音声信号Ｓauに対して、制御信号Ｓcntに従った信号処理を行わせる。
【００７１】
次に、かかる構成を有する音声信号処理装置１の動作例を図８及び図９に示すフローチャートを参照して説明する。なお、図８及び図９は、音声信号処理部２と制御部３の動作を示している。
【００７２】
まず、音声信号処理装置１の動作を理解し易くするために、図８及び図９のフローチャートの構成を説明する。
【００７３】
図８はいわゆるメインルーチン、図９はいわゆるサブルーチンの関係となっており、音声信号処理装置１が動作を開始すると、受信部Ｒｘが放送等を受信すると共に、復調及びデコード処理を行い、更に、音声信号処理部２と制御部３が、図８のフローチャートに従って動作する。
【００７４】
そして、図８中のステップＳＴＡ８に示す「電界安定シーケンス」と、ステップＳＴＡ９に示す「マルチパスシーケンス」と、ステップＳＴＡ１３に示す「弱電界シーケンス」を実行する際、夫々図９に示すフローチャートに従って動作し、該動作が終了すると、図８中のステップＳＴＡ３の処理に戻って動作を繰り返す。
【００７５】
更に、図９に示すフローチャートに従って動作する際、図８中のステップＳＴＡ８に示す「電界安定シーケンス」に関する処理を行う場合には、図７（ａ）（ｄ）に示した制御データの内容に従って音声処理部２が処理を行い、図８中のステップＳＴＡ９に示す「マルチパスシーケンス」に関する処理を行う場合には、図７（ｂ）（ｄ）に示した制御データの内容に従って音声処理部２が処理を行い、図８中のステップＳＴＡ１３に示す「弱電界シーケンス」に関する処理を行う場合には、図７（ｃ）（ｄ）に示した制御データの内容に従って音声処理部２が処理を行うようになっている。
【００７６】
さて、音声信号処理装置１の動作を図８及び図９のフローチャートを参照して説明する。
【００７７】
音声信号処理装置１が動作を開始すると、制御部３が、図８中のステップＳＴＡ１において、内部状態信号Ｄdet2に基づいてビット誤差率（ＢＥＲ）を確認し、更にステップＳＴＡ２において、ビット誤差率に基づいて現在の受信状態が良好か否かを判断する。そして、良好と判断すると、ステップＳＴＡ３へ移行し、ユーザが電源をオフにした場合のように、音声信号処理装置１に対する設定を終了した場合には動作を終了し、設定を終了していなければ、ステップＳＴＡ１からの処理を繰り返す。なお、現在の受信状態が良好か否かの判断は、例えば、現在のビット誤差率の値と規定値との比較結果から判断することができる。
【００７８】
一方、ステップＳＴＡ２において、制御部３が、受信状態が良好でないと判断すると、ステップＳＴＡ４へ移行し、内部状態信号Ｄdet1に基づいてＡＧＣ電圧Ｖagcを読込み、更にステップＳＴＡ５において、ＡＧＣ電圧Ｖagcに基づいて現在の受信状態が弱電界の状態か否かを判断する。そして、弱電界の状態でないと判断すると、ステップＳＴ６へ移行し、弱電界の状態であると判断すると、ステップＳＴＡ１０へ移行する。なお、現在の受信状態が弱電界の状態か否かの判断は、例えば、現在のＡＧＣ電圧Ｖagcの値と規定値との比較結果から判断することができる。
【００７９】
ステップＳＴＡ６では、制御部３が、ＡＧＣ電圧Ｖagcの所定時間当たりの変化量ΔＶagcを確認し、更にステップＳＴＡ７に移行して、その変化量ΔＶagcが規定値Ｋagcより大きいか判断する。そして、ステップＳＴＡ７において、変化量ΔＶagcが規定値Ｋagcより小さいと判断すると、受信電界が安定した状態にあると判断してステップＳＴＡ８に移行し、「電界安定シーケンス」に関する図９の処理を開始する。
【００８０】
一方、ステップＳＴＡ７において、変化量ΔＶagcが規定値Ｋagcより大きいと判断すると、マルチパスフェージング等の影響を受けた受信状態にあるを判断してステップＳＴＡ９に移行し、「マルチパスシーケンス」に関する図９の処理を開始する。
【００８１】
制御部３が、上述のステップＳＴＡ１０の処理に移行すると、内部状態信号Ｓdet2に基づいてＣ／Ｎ値Ｍcnを読込み、更にステップＳＴＡ１１において、Ｃ／Ｎ値Ｍcnの所定時間当たりの変化量ΔＭcnを確認してステップＳＴＡ１２へ移行する。そして、ステップＳＴＡ１２において、変化量ΔＭcnが規定値Ｋcnより大きいか判断し、変化量ΔＭcnの方が規定値Ｋcnより大きいときには、マルチパスフェージング等の影響を受けた受信状態にあると判断してステップＳＴＡ９に移行し、「マルチパスシーケンス」に関する図９の処理を開始する。
【００８２】
一方、ステップＳＴＡ１２において、変化量ΔＭcnの方が規定値Ｋcnより小さいときには、受信状態が弱電界の状態にあると判断してステップＳＴＡ１３に移行し、「弱電界シーケンス」に関する図９の処理を開始する。
【００８３】
このように、音声信号処理装置１は、図８に示す処理を行うことにより、受信部Ｒｘの内部状態に基づいて受信状態を判断し、音声信号Ｓａに対して信号処理を行う必要が無いときには、制御部３が音声処理部２に対して現状の状態をそのまま維持させるための無制御を行ってステップＳＴＡ１〜ＳＴＡ３の処理を繰り返し、一方、ステップＳＴＡ２において、制御部３が受信状態が良好でないと判断すると、その受信状態を判別することで、受信状態に応じたステップＳＴＡ８，ステップＳＴＡ９，ステップＳＴＡ１３の何れかの処理を開始する。
【００８４】
次に、図８中のステップＳＴＡ８の「電界安定シーケンス」の動作を、図９を参照して説明する。
【００８５】
「電界安定シーケンス」の動作を開始すると、最初に、図９中のステップＳＴＢ１において、制御部３が、ユーザから指定されている音声再生モードを確認する。そして、ステップＳＴＢ２において、マルチチャンネルスピーカシステムの各スピーカに供給する音声信号をチャンネル毎に独立して制御するための音声再生モード（例えば、５．１チャンネルサラウンドモード）が指定されていると、ステップＳＴＢ３の「独立制御モード」の動作を開始し、一方、全てのチャンネルの音声信号に対して同じ制御をするための音声再生モードが指定されていると、ステップＳＴＢ１４の「同時制御モード」の動作を開始する。
【００８６】
ステップＳＴＢ３の「独立制御モード」の動作を開始すると、音声処理部２が、制御部３からの指示に従って、音声信号Ｓauを各チャンネル毎に独立して処理するように切り替わる。
【００８７】
次に、ステップＳＴＢ４において、制御部３中の受信状態悪化期間検出部３bcが受信状態悪化期間Ｔwを確認し、次に、ステップＳＴＢ５において、受信状態悪化頻度分析部３bdが、受信状態悪化期間Ｔwの１期間あたりの時間平均値Ａ（Ｔw）と所定の規定値ＴＨＤtwとを比較することによって、受信状態悪化期間Ｔwの時間幅を分析する。
【００８８】
すなわち、図６（ａ）に例示したように、受信状態悪化期間Ｔwが４つ発生した場合には、これら受信状態悪化期間Ｔwの合計を４で除算することで時間平均値Ａ（Ｔw）を演算して規定値ＴＨＤtwとを比較する。
【００８９】
そして、時間平均値Ａ（Ｔw）が規定値ＴＨＤtwより小さい場合には、受信状態が悪化している期間が短いと判断して、ステップＳＴＢ６へ移行し、時間平均値Ａ（Ｔw）が規定値ＴＨＤtwより大きい場合には、受信状態が悪化している期間が長いと判断して、ステップＳＴＢ１０へ移行する。
【００９０】
ステップＳＴＢ６では、受信状態悪化間隔検出部３bbが受信状態悪化間隔Ｔpを確認し、次に、ステップＳＴＢ７において、受信状態悪化頻度分析部３bdが、受信状態悪化間隔Ｔpの１間隔あたりの時間平均値Ａ（Ｔp）と所定の規定値ＴＨＤtpとを比較することによって、受信状態悪化間隔Ｔpの時間幅を分析する。
【００９１】
すなわち、図６（ａ）に例示したように、受信状態悪化間隔Ｔpが３つ発生した場合には、これら受信状態悪化間隔Ｔpの合計を３で除算することで時間平均値Ａ（Ｔp）を演算して規定値ＴＨＤtpとを比較する。
【００９２】
そして、時間平均値Ａ（Ｔp）が規定値ＴＨＤtpより小さい場合にはステップＳＴＢ８、時間平均値Ａ（Ｔp）が規定値ＴＨＤtpより大きい場合にはステップＳＴＢ９へ移行する。
【００９３】
このように、制御部３は、ステップＳＴＢ４〜ＳＴＢ７の判断処理を行うことにより、受信状態悪化期間Ｔwと受信状態悪化間隔Ｔpの相互間の特徴を分析し、夫々分析した特徴に応じて、ステップＳＴＢ８又はＳＴＢ９の処理を行うようになっている。
【００９４】
上述のステップＳＴＢ５からステップＳＴＢ１０に移行すると、受信状態悪化間隔検出部３bbが受信状態悪化間隔Ｔpを確認し、次に、ステップＳＴＢ１１において、受信状態悪化頻度分析部３bdが、受信状態悪化間隔Ｔpの１間隔あたりの時間平均値Ａ（Ｔp）と所定の規定値ＴＨＤtpとを比較することによって、受信状態悪化間隔Ｔpの時間幅を分析する。そして、時間平均値Ａ（Ｔp）が規定値ＴＨＤtpより小さい場合にはステップＳＴＢ１２、時間平均値Ａ（Ｔp）が規定値ＴＨＤtpより大きい場合にはステップＳＴＢ１３へ移行する。
【００９５】
このように、制御部３は、ステップＳＴＢ４，ＳＴＢ５，ＳＴＢ１０，ＳＴＢ１１の処理を行うことにより、受信状態悪化期間Ｔwと受信状態悪化間隔Ｔpの相互間の特徴を分析し、夫々分析した特徴に応じて、ステップＳＴＢ１２又はＳＴＢ１３の処理を行うようになっている。
【００９６】
次に、制御部３は、ステップＳＴＢ８に移行した場合、制御期間Ｔcntの間、図７（ａ）（ｄ）に示した「電界安定シーケンス」の「独立制御モード」における制御（１）の制御データに従った処理を音声処理部２に行わせる。
【００９７】
また、ステップＳＴＢ９に移行した場合には、制御期間Ｔcntの間、図７（ａ）（ｄ）に示した「電界安定シーケンス」の「独立制御モード」における制御（２）の制御データに従った処理を音声処理部２に行わせる。
【００９８】
また、ステップＳＴＢ１２に移行した場合には、制御期間Ｔcntの間、図７（ａ）（ｄ）に示した「電界安定シーケンス」の「独立制御モード」における制御（３）の制御データに従った処理を音声処理部２に行わせる。
【００９９】
また、ステップＳＴＢ１３に移行した場合には、制御期間Ｔcntの間、図７（ａ）（ｄ）に示した「電界安定シーケンス」の「共通」における制御（４）の制御データに従った処理を音声処理部２に行わせる。
【０１００】
そして、ステップＳＴＢ８，ＳＴＢ９，ＳＴＢ１２，ＳＴＢ１３の何れかの処理を行って終了すると、図８に示したステップＳＴＡ３へ移行する。
【０１０１】
次に、ステップＳＴＢ１４の「同時制御モード」の動作を開始した場合について説明する。
【０１０２】
「同時制御モード」の動作を開始すると、音声処理部２が、制御部３からの指示に従って、音声信号Ｓauを各チャンネル毎に独立して処理するように切り替わる。
【０１０３】
そして、制御部３が、ステップＳＴＢ１５〜ＳＴＢ１８，ＳＴＢ２１，ＳＴＢ２２において、上述したステップＳＴＢ４〜ＳＴＢ７，ＳＴＢ１０，ＳＴＢ１１と同様に、受信状態悪化期間Ｔwと受信状態悪化間隔Ｔpに基づく判断処理を行い、ステップＳＴＢ１９，ＳＴＢ２０，ＳＴＢ２３，ＳＴＢ２４の何れかのステップへ移行する。
【０１０４】
そして、制御部３は、ステップＳＴＢ１９に移行すると、制御期間Ｔcntの間、 図７（ａ）（ｄ）に示した「電界安定シーケンス」の「同時制御モード」における制御（５）の制御データに従った処理を音声処理部２に行わせる。
【０１０５】
また、ステップＳＴＢ２０に移行すると、制御期間Ｔcntの間、図７（ａ）（ｄ）に示した「電界安定シーケンス」の「同時制御モード」における制御（６）の制御データに従った処理を音声処理部２に行わせる。
【０１０６】
また、ステップＳＴＢ２３に移行すると、制御期間Ｔcntの間、図７（ａ）（ｄ）に示した「電界安定シーケンス」の「同時制御モード」における制御（７）の制御データに従った処理を音声処理部２に行わせる。
【０１０７】
また、ステップＳＴＢ２４に移行すると、制御期間Ｔcntの間、図７（ａ）（ｄ）に示した「電界安定シーケンス」の「共通」における制御（４）の制御データに従った処理を音声処理部２に行わせる。
【０１０８】
そして、ステップＳＴＢ１９，ＳＴＢ２０，ＳＴＢ２３，ＳＴＢ２４の何れかの処理を行って終了すると、図８に示したステップＳＴＡ３へ移行する。
【０１０９】
次に、図８に示したステップＳＴＡ９の「マルチパスシーケンス」の動作について説明する。
【０１１０】
「マルチパスシーケンス」の動作を開始すると、制御部３は、図９中のステップＳＴＢ１から処理を行うこととなり、上述の「電界安定シーケンス」の場合と同様に、受信状態悪化期間Ｔwと受信状態悪化間隔Ｔpに基づく判断処理を行って、ステップＳＴＢ８，ＳＴＢ９，ＳＴＢ１２，ＳＴＢ１３，ＳＴＢ１９，ＳＴＢ２０，ＳＴＢ２３，ＳＴＢ２４の何れかの処理を行うこととなる。
【０１１１】
そして、制御部３は、ステップＳＴＢ８に移行した場合、図７（ｂ）（ｄ）に示した「マルチシーケンス」の「独立制御モード」における制御（１）、ステップＳＴＢ９に移行した場合には、図７（ｂ）（ｄ）に示した「マルチパスシーケンス」の「独立制御モード」における制御（２）、ステップＳＴＢ１２に移行した場合には、図７（ｂ）（ｄ）に示した「マルチパスシーケンス」の「独立制御モード」における制御（３）、ステップＳＴＢ１３に移行した場合には、図７（ｂ）（ｄ）に示した「マルチパスシーケンス」の「共通」における制御（４）の夫々の制御データに従って、制御期間Ｔcntの間、音声処理部２に処理を行わせる。
【０１１２】
また、ステップＳＴＢ１９に移行した場合、図７（ｂ）（ｄ）に示した「マルチシーケンス」の「同時制御モード」における制御（５）、ステップＳＴＢ２０に移行した場合には、図７（ｂ）（ｄ）に示した「マルチパスシーケンス」の「同時制御モード」における制御（６）、ステップＳＴＢ２３に移行した場合には、図７（ｂ）（ｄ）に示した「マルチパスシーケンス」の「同時制御モード」における制御（７）、ステップＳＴＢ２４に移行した場合には、図７（ｂ）（ｄ）に示した「マルチパスシーケンス」の「共通」における制御（４）の夫々の制御データ従って、制御期間Ｔcntの間、音声処理部２に処理を行わせる。
【０１１３】
そして、ステップＳＴＢ１９，ＳＴＢ２０，ＳＴＢ２３，ＳＴＢ２４の何れかの処理を行って終了すると、図８に示したステップＳＴＡ３へ移行する。
【０１１４】
次に、図８に示したステップＳＴＡ１３の「弱電界シーケンス」の動作について説明する。
【０１１５】
「弱電界シーケンス」の動作を開始すると、制御部３は、図９中のステップＳＴＢ１から処理を行うこととなり、上述の「電界安定シーケンス」や「マルチパスシーケンス」の場合と同様に、受信状態悪化期間Ｔwと受信状態悪化間隔Ｔpに基づく判断処理を行って、ステップＳＴＢ８，ＳＴＢ９，ＳＴＢ１２，ＳＴＢ１３，ＳＴＢ１９，ＳＴＢ２０，ＳＴＢ２３，ＳＴＢ２４の何れかの処理を行うこととなる。
【０１１６】
そして、制御部３は、ステップＳＴＢ８に移行した場合、図７（ｃ）（ｄ）に示した「弱電界シーケンス」の「独立制御モード」における制御（１）、ステップＳＴＢ９に移行した場合には、図７（ｃ）（ｄ）に示した「弱電界シーケンス」の「独立制御モード」における制御（２）、ステップＳＴＢ１２に移行した場合には、図７（ｃ）（ｄ）に示した「弱電界シーケンス」の「独立制御モード」における制御（３）、ステップＳＴＢ１３に移行した場合には、図７（ｃ）（ｄ）に示した「弱電界シーケンス」の「共通」における制御（４）の夫々の制御データに従って、制御期間Ｔcntの間、音声処理部２に処理を行わせる。
【０１１７】
また、ステップＳＴＢ１９に移行した場合、図７（ｃ）（ｄ）に示した「弱電界シーケンス」の「同時制御モード」における制御（５）、ステップＳＴＢ２０に移行した場合には、図７（ｃ）（ｄ）に示した「弱電界シーケンス」の「同時制御モード」における制御（６）、ステップＳＴＢ２３に移行した場合には、図７（ｃ）（ｄ）に示した「弱電界シーケンス」の「同時制御モード」における制御（７）、ステップＳＴＢ２４に移行した場合には、図７（ｂ）（ｄ）に示した「弱電界シーケンス」の「共通」における制御（４）の夫々の制御データ従って、制御期間Ｔcntの間、音声処理部２に処理を行わせる。
【０１１８】
そして、ステップＳＴＢ８，ＳＴＢ９，ＳＴＢ１２，ＳＴＢ１３，ＳＴＢ１９，ＳＴＢ２０，ＳＴＢ２３，ＳＴＢ２４の何れかの処理を行って終了すると、図８に示したステップＳＴＡ３へ移行する。
【０１１９】
以上説明したように、本実施例の音声信号処理装置１によれば、受信部Ｒｘにおける複数の内部状態に基づいて受信状態を検出することにより、受信状態を精度良く判断することができ、更に、判断した受信状態に応じて、受信部Ｒｘから出力される音声信号Ｓauに対して、スピーカ等で高品質の音を再生させ得る処理を施すことにより、受信状態が悪化した場合でも、ユーザに違和感を与えることなく、スピーカ等で音を再生させることができる。
【０１２０】
また、制御部３は、高速処理を行うフロントエンド部４に供給されるＡＧＣ電圧に基づいて、受信状態の良否を判断するので、音声処理部２を制御するための処理内容を決定するための処理を迅速に行うことができ、音声信号Ｓauに対して処理が遅延する等の問題の発生を未然に防止することができる。
【０１２１】
また、制御部３は、ユーザがマルチチャンネルによる音声再生を指定した場合に、音声処理部２に対して、音声信号Ｓauを各チャンネル毎に細かく処理するように制御することができるため、受信状態に応じて、高品質の音をスピーカによって再生させることができる。
【０１２２】
なお、以上に説明した本実施例の音声信号処理装置１において、図２に示した音声処理部２、制御部３、デコード部６をマイクロプロセッサ（ＭＰＵ）やデジタルシグナルプロセッサ（ＤＳＰ）で形成し、コンピュータプログラムを実行させることにより、上述した音声処理部２、制御部３、デコード部６と同様の動作を行わせるようにしてもよい。
【０１２３】
また、該コンピュータプログラムをＣＤやＤＶＤ等の記録媒体に記録しておき、上述のマイクロプロセッサ等にインストール等して実行させるようにしてもよい。
【図面の簡単な説明】
【０１２４】
【図１】本発明の実施の形態に係る音声信号処理装置の構成及び機能を表した図である。
【図２】実施例に係る音声信号処理装置の構成を表したブロック図である。
【図３】デコーダ部に設けられている音声信号量検出部６ｃの構成と機能を表した図である。
【図４】図２に示した音声信号処理装置に設けられている音声処理部の構成を表したブロック図である。
【図５】図２に示した音声信号処理装置に設けられている制御部の構成を表したブロック図である。
【図６】図５に示した受信状態悪化期間検出部と受信状態悪化間隔検出部の機能を説明するための図である。
【図７】図５に示したテーブルに記憶されている制御データを模式的に示した図である。
【図８】図２に示した音声信号処理装置の動作を説明するためのフローチャートである。
【図９】更に、図２に示した音声信号処理装置の動作を説明するためのフローチャートである。
【符号の説明】
【０１２５】
１…音声信号処理装置
２…音声処理部
３…制御部
【国際調査報告】
2005096512.tif 000011
2005096512.tif 000012
2005096512.tif 000013
2005096512.tif 000014